(57)【特許請求の範囲】
【請求項１】
端末装置と、車載装置とを備える情報システムであって、
前記端末装置は、
音声出力の元となる情報である２以上の音声情報が格納される端末音声出力関連情報格納部と、
音声を出力することに関する指示である音声出力指示であり、第一の音声出力指示である第一音声出力指示を受け付ける端末受付部と、
前記端末受付部が受け付けた第一音声出力指示に対応する２以上の音声情報を、前記端末音声出力関連情報格納部から取得する端末音声出力関連情報取得部と、
前記端末音声出力関連情報取得部が取得した２以上の音声情報を前記車載装置に送信する端末送信部と、
前記端末音声出力関連情報取得部が取得した音声情報を用いて音声を出力する端末出力部とを備え、
前記車載装置は、
２以上の音声情報が格納される音声情報格納部と、
前記端末装置から２以上の音声情報を受信する受信部と、
前記受信部が受信した２以上の音声情報を、前記音声情報格納部に蓄積する音声情報蓄積部とを備え、
前記端末受付部は、
前記第一音声出力指示を受け付けた後に、第二の音声出力指示である第二音声出力指示を受け付け、
前記端末送信部は、
前記２以上の音声情報を送信した後に、前記端末受付部が受け付けた第二音声出力指示に対応する音声出力条件を前記車載装置に送信し、
前記受信部は、
前記２以上の音声情報を受信した後に、前記端末装置から音声出力条件を受信し、
前記車載装置は、
前記音声情報蓄積部が、前記受信部が受信した２以上の音声情報を前記音声情報格納部に蓄積した後に、前記受信部が受信した音声出力条件に対応する音声情報を、前記音声情報格納部から取得する音声情報取得部と、
前記音声情報取得部が取得した音声情報を用いて音声を出力する出力部とをさらに備える情報システム。
【請求項２】
前記端末音声出力関連情報格納部には、
位置を示す情報である位置情報、地点を示す情報である地点情報、位置または地点に関するクイズを示す情報であるクイズ情報のうちのいずれか１以上の情報である位置関連情報と、当該位置関連情報に対応する音声情報とが１組以上格納されており、
前記端末装置は、
前記車載装置から、位置関連情報を受信する端末受信部をさらに備え、
前記端末音声出力関連情報取得部は、
前記端末受信部が受信した位置関連情報に対応する音声情報をも、前記端末音声出力関連情報格納部から取得し、
前記車載装置は、
位置関連情報が格納される位置関連情報格納部と、
前記位置関連情報格納部から位置関連情報を取得する位置関連情報取得部と、
前記位置関連情報取得部が取得した位置関連情報を、前記端末装置に送信する送信部とをさらに備える請求項１記載の情報システム。
【請求項３】
前記端末音声出力関連情報格納部には、
位置情報と、当該位置情報に対応する音声情報とが格納されており、
前記端末装置は、
位置を示す情報である位置情報を取得する端末位置情報取得部をさらに備え、
前記端末音声出力関連情報取得部は、
前記端末位置情報取得部が取得した位置情報に対応する音声情報をも、前記端末音声出力関連情報格納部から取得する請求項１記載の情報システム。
【請求項４】
前記音声情報は、クイズに関連する音声出力の元となる情報であり、
前記端末音声出力関連情報取得部は、
前記端末装置において表示されているクイズに対応する前記音声情報を、前記端末音声出力関連情報格納部から取得する請求項１から請求項３いずれか一項に記載の情報システム。
【請求項５】
請求項１から請求項４いずれか記載の情報システムを構成する端末装置。
【請求項６】
音声出力の元となる情報である２以上の音声情報が格納される端末音声出力関連情報格納部と、
音声を出力することに関する指示である音声出力指示であり、第一の音声出力指示である第一音声出力指示を受け付ける端末受付部と、
前記端末受付部が受け付けた第一音声出力指示に対応する２以上の音声情報を、前記端末音声出力関連情報格納部から取得する端末音声出力関連情報取得部と、
前記端末音声出力関連情報取得部が取得した２以上の音声情報を車載装置に送信する端末送信部と、
前記端末音声出力関連情報取得部が取得した音声情報を用いて音声を出力する端末出力部とを備え、
前記端末受付部は、
前記第一音声出力指示を受け付けた後に、第二の音声出力指示である第二音声出力指示を受け付け、
前記端末送信部は、
前記２以上の音声情報を送信した後に、前記端末受付部が受け付けた第二音声出力指示に対応する音声出力条件を前記車載装置に送信する端末装置。
【請求項７】
音声出力の元となる情報である２以上の音声情報が格納される端末音声出力関連情報格納部と、
端末受付部と、端末音声出力関連情報取得部と、端末出力部と、端末送信部とを用いて行われる音声出力方法であって、
前記端末受付部が、
音声を出力することに関する指示である音声出力指示であり、第一の音声出力指示である第一音声出力指示を受け付ける端末受付ステップと、
前記端末音声出力関連情報取得部が、
前記端末受付部が受け付けた第一音声出力指示に対応する２以上の音声情報を、前記端末音声出力関連情報格納部から取得する端末音声出力関連情報取得ステップと、
前記端末送信部が、
前記端末音声出力関連情報取得部が取得した２以上の音声情報を車載装置に送信する端末送信ステップと、
前記端末出力部が、
前記端末音声出力関連情報取得部が取得した音声情報を用いて音声を出力する端末出力ステップとを備え、
前記端末受付ステップでは、
前記端末受付部が、
前記第一音声出力指示を受け付けた後に、第二の音声出力指示である第二音声出力指示を受け付け、
前記端末送信ステップでは、
前記端末送信部が、
前記２以上の音声情報を送信した後に、前記端末受付部が受け付けた第二音声出力指示に対応する音声出力条件を前記車載装置に送信する音声出力方法。
【請求項８】
音声出力の元となる情報である２以上の音声情報が格納される端末音声出力関連情報格納部にアクセス可能なコンピュータを、
音声を出力することに関する指示である音声出力指示であり、第一の音声出力指示である第一音声出力指示を受け付ける端末受付部、
前記端末受付部が受け付けた第一音声出力指示に対応する２以上の音声情報を、前記端末音声出力関連情報格納部から取得する端末音声出力関連情報取得部、
前記端末音声出力関連情報取得部が取得した２以上の音声情報を車載装置に送信する端末送信部、
前記端末音声出力関連情報取得部が取得した音声情報を用いて音声を出力する端末出力部
として機能させ、
前記端末受付部では、
前記第一音声出力指示を受け付けた後に、第二の音声出力指示である第二音声出力指示を受け付け、
前記端末送信部では、
前記２以上の音声情報を送信した後に、前記端末受付部が受け付けた第二音声出力指示に対応する音声出力条件を前記車載装置に送信するためのプログラム。
【発明の詳細な説明】
【技術分野】
【０００１】
本発明は、車載装置に音声を出力するための情報を送信する端末装置等に関するものである。
【背景技術】
【０００２】
従来、音声を出力する端末装置が開発されている（特許文献１参照）。
【先行技術文献】
【特許文献】
【０００３】
【特許文献１】特開２００９−２４６７０５号公報
【発明の概要】
【発明が解決しようとする課題】
【０００４】
しかしながら、従来の情報システムにおいては、操作に伴う音声は、端末装置を操作するユーザのみに対して出力されるものであった。
【課題を解決するための手段】
【０００５】
本第一の発明の情報システムは、端末装置と、車載装置とを具備する情報システムであって、端末装置は、音声を出力することに関する情報である音声出力関連情報を格納し得る端末音声出力関連情報格納部と、音声を出力することに関する指示である音声出力指示を受け付ける端末受付部と、端末受付部が受け付けた音声出力指示に対応する音声出力関連情報を、端末音声出力関連情報格納部から取得する端末音声出力関連情報取得部と、端末音声出力関連情報取得部が取得した音声出力関連情報を、車載装置に送信する端末送信部とを具備し、車載装置は、音声出力関連情報を受信する受信部と、受信部が受信した音声出力関連情報を用いて音声を出力する出力部とを具備する情報システムである。
【０００６】
このような構成により、操作に伴う音声を、端末装置を操作するユーザ以外に対しても出力することができる。
【０００７】
また、本第二の発明の情報システムは、第一の発明に対して、音声出力関連情報は、音声出力の元となる情報である音声情報であり、端末音声出力関連情報取得部は、端末音声出力関連情報格納部から、音声情報を取得し、出力部は、受信部が受信した音声情報を用いて音声を出力する情報システムである。
【０００８】
このような構成により、操作に伴う音声を、端末装置を操作するユーザ以外に対しても出力することができる。
【０００９】
また、本第三の発明の情報システムは、第一の発明に対して、音声出力関連情報は、音声出力の元となる情報である音声情報、または音声を出力することに関する条件である音声出力条件であり、端末音声出力関連情報取得部は、端末音声出力関連情報格納部に格納されている２以上の音声情報、または音声出力条件を取得し、車載装置は、音声情報を格納し得る音声情報格納部と、受信部が受信した２以上の音声情報を、音声情報格納部に蓄積する音声情報蓄積部と、受信部が受信した音声出力条件に対応する音声情報を、音声情報格納部から取得する音声情報取得部とをさらに具備し、出力部は、音声情報取得部が取得した音声情報を用いて音声を出力する情報システムである。
【００１０】
このような構成により、操作に伴う音声を、端末装置を操作するユーザ以外に対しても出力することができる。
【００１１】
また、本第四の発明の情報システムは、第一の発明に対して、車載装置は、位置に関する情報である位置関連情報を格納し得る位置関連情報格納部と、位置を示す情報である位置情報を取得する位置情報取得部と、位置関連情報を要求する指示である位置関連情報要求指示に対応する位置関連情報を、位置情報取得部、または位置関連情報格納部から取得する位置関連情報取得部と、位置関連情報取得部が取得した位置関連情報を、端末装置に送信する送信部とをさらに具備し、端末装置は、位置関連情報を受信する端末受信部をさらに具備し、音声出力関連情報は、位置関連情報と、位置関連情報に対応する情報であり、音声出力の元となる情報である音声情報とを有し、端末音声出力関連情報取得部は、端末受信部が受信した位置関連情報に対応する音声情報を、端末音声出力関連情報格納部から取得し、出力部は、受信部が受信した音声情報を用いて音声を出力する情報システムである。
【００１２】
このような構成により、位置関連情報に対応する音声を、端末装置を操作するユーザ以外に対しても出力することができる。
【００１３】
また、本第五の発明の情報システムは、第四の発明に対して、音声出力関連情報は、位置関連情報と、位置関連情報に対応する情報であり、音声を出力することに関する条件である音声出力条件とを有し、端末音声出力関連情報取得部は、端末受信部が受信した位置関連情報に対応する音声出力条件を、端末音声出力関連情報格納部から取得し、車載装置は、音声情報を格納し得る音声情報格納部と、受信部が受信した音声出力条件に対応する音声情報を、音声情報格納部から取得する音声情報取得部とをさらに具備し、出力部は、音声情報取得部が取得した音声情報を用いて音声を出力する情報システムである。
【００１４】
このような構成により、操作に伴う音声を、端末装置を操作するユーザ以外に対しても出力することができる。
【００１５】
また、本第六の発明の情報システムは、第一の発明に対して、端末装置は、位置を示す情報である位置情報を取得する端末位置情報取得部をさらに具備し、音声出力関連情報は、位置情報と、位置情報に対応する情報であり、音声出力の元となる情報である音声情報とを有し、端末音声出力関連情報取得部は、音声出力指示および端末位置情報取得部が取得した位置情報に対応する音声情報を、端末音声出力関連情報格納部から取得する情報システムである。
【００１６】
このような構成により、位置に対応する音声を、端末装置を操作するユーザ以外に対しても出力することができる。
【００１７】
また、本第七の発明の情報システムは、第一から第六いずれかの発明に対して、端末装置と車載装置とは、近距離無線での通信を行う情報システムである。
【００１８】
このような構成により、近距離無線通信にて、操作に伴う音声を、端末装置を操作するユーザ以外に対しても出力することができる。
【発明の効果】
【００１９】
本発明による情報システム等によれば、操作に伴う音声を、端末装置を操作するユーザ以外に対しても出力することができる。
【図面の簡単な説明】
【００２０】
【図１】実施の形態１における情報システム１の概念図
【図２】同端末装置１１、車載装置１２のブロック図
【図３】同端末装置１１の全体動作について説明するフローチャート
【図４】同音声出力関連情報の例を示す図
【図５】実施の形態２における端末装置２１、車載装置２２のブロック図
【図６】同端末装置２１の全体動作について説明するフローチャート
【図７】同車載装置２２の全体動作について説明するフローチャート
【図８】同音声情報の例を示す図
【図９】実施の形態３における情報システム３の概念図
【図１０】同端末装置３１、車載装置３２のブロック図
【図１１】同端末装置３１の全体動作について説明するフローチャート
【図１２】同車載装置３２の全体動作について説明するフローチャート
【図１３】同位置関連情報の例を示す図
【図１４】同周辺施設情報の例を示す図
【図１５】実施の形態４における端末装置４１、車載装置４２のブロック図
【図１６】同端末装置４１の全体動作について説明するフローチャート
【図１７】同端末装置４２の全体動作について説明するフローチャート
【図１８】実施の形態５における端末装置５１、車載装置５２のブロック図
【図１９】同端末装置５１の全体動作について説明するフローチャート
【図２０】上記実施の形態におけるコンピュータシステムの概観図
【図２１】上記実施の形態におけるコンピュータシステムのブロック図
【発明を実施するための形態】
【００２１】
以下、本発明による情報システム等の実施形態について図面を参照して説明する。なお、実施の形態において同じ符号を付した構成要素は同様の動作を行うので、再度の説明を省略する場合がある。また、所定の情報等が格納され得る格納部等において、当該格納部に情報等が記憶される過程は問わないものとする。例えば、記録媒体を介して情報等が格納部等で記憶されるようになってもよい。また、通信回線などを介して送信された情報等が格納部等で記憶されるようになってもよい。さらに、入力デバイスを介して入力された情報等が格納部等で記憶されるようになってもよい。また、本実施の形態において、検索とは、検索対象となる情報から、指定された情報を用いて、当該指定された情報に一致する情報を検知することや、当該検知した情報を取得すること、当該検知した情報に対応付けられた情報を取得することなどを意味し、広く解する。また、本実施の形態において説明する各情報の形式、内容などは、あくまで例示であり、各情報の持つ意味を示すことができれば、形式、内容などは問わない。
【００２２】
（実施の形態１）
本実施の形態において、端末装置から車載装置に音声情報を送信し、車載装置が当該音声情報を用いて音声を出力する情報システムについて説明する。
【００２３】
図１は、本実施の形態における情報システム１の概念図である。図１において、端末装置１１は、例えば、携帯型のゲーム機や、携帯電話、ＰＤＡ（Ｐｅｒｓｏｎａｌ  Ｄｉｇｉｔａｌ  Ａｓｓｉｓｔａｎｔ）などの携帯端末である。また、図１において、車載装置１２は、例えば、自動車に搭載されるカーナビゲーション装置や、自動車に搭載されているディスプレイ・オーディオ（ディスプレイ付きのオーディオ装置）、他の乗り物に搭載されるナビゲーション装置などである。また、図１において、端末装置１１と車載装置１２との通信は、通常、例えば、Ｂｌｕｅｔｏｏｔｈ（登録商標）などの近距離無線通信である。また、端末装置１１と車載装置１２との通信は、Ｗｉ−Ｆｉ（登録商標）等の無線ＬＡＮによる通信や、その他の無線通信であってもよい。
【００２４】
図２は、本実施の形態における端末装置１１、および車載装置１２のブロック図である。端末装置１１は、端末音声出力関連情報格納部１１１、端末受付部１１２、端末音声出力関連情報取得部１１３、端末送信部１１４を備える。車載装置１２は、受信部１２１、出力部１２２を備える。
【００２５】
端末音声出力関連情報格納部１１１は、音声を出力することに関する情報である音声出力関連情報を格納し得る。音声出力関連情報は、通常、音声出力の元となる音声情報である。また、音声出力関連情報は、音声を出力することに関する条件である音声出力条件であってもよい。音声出力条件は、例えば、対象情報や、内容情報、判断種別情報、連結情報などを有する。対象情報とは、条件を満たすか否かを判断する対象の情報を示す情報である。また、内容情報とは、条件を満たすか否かを判断する対象の情報の内容を示す情報である。また、判断種別情報とは、条件を満たすか否かを判断する種別を示す情報である。また、連結情報とは、２以上の条件の連結方法を示す情報である。また、音声出力関連情報は、音声情報や、音声出力条件、位置に関連する情報である位置関連情報などの組み合わせであってもよい。位置関連情報は、例えば、位置を示す位置情報や、地点を示す地点情報、施設を示す施設情報、クイズを示すクイズ情報などである。また、音声出力関連情報において、音声情報と音声出力条件とは、１対ｎで対応付けられていてもよい。ｎは、通常、１以上である。
【００２６】
以下、音声情報、位置情報、地点情報、施設情報、クイズ情報、対象情報、内容情報、判断種別情報、連結情報、音声出力条件の順に、これらの情報の例などについて説明する。
【００２７】
音声情報は、例えば、文字情報や、音声データ、音声ファイル、音声信号、楽譜などである。また、音声は、声や、音楽、ＢＧＭ、効果音、文字の読み上げ音声などである。音声は、いわゆる音であればよく、その内容や種類は問わない。また、音声情報は、音声情報を識別するための音声識別子を有していてもよい。音声識別子は、例えば、ファイルＩＤや、ファイル名、音素などである。ファイルＩＤは、ＩＤを示すＩＤ情報である。ＩＤ情報は、例えば、「１」や、「２３」、「００７」、「Ｍ−０２３」などである。また、ファイル名は、名称を示す名称情報である。名称情報は、例えば、「ｓｏｕｎｄ．ａａｃ」や、「Ｍｕｓｉｃ．ｍｐ３」、「ｖｏｉｃｅ．ｍｐ４」、「ＢＧＭ−０１．ｗａｖ」などである。また、音素は、例えば、「／ａ／」や、「／ｉ／」、「／ｋｕ／」、「／ｓｅ／」などである。なお、音声情報は、音声出力の元となる情報であればよく、その形式や内容などは問わない。
【００２８】
位置情報は、経緯度を示す経緯度情報や、座標を示す座標情報、座標の軸を示す座標軸情報、高度を示す高度情報、距離を示す距離情報、方位を示す方位情報などである。経緯度情報は、例えば、「（Ｎ１２．３４．５６．７８，Ｅ１２３．４５．６７．８９）」や、「（北緯１２度，東経１２３度）」などである。また、座標情報は、例えば、「（Ｘ，Ｙ）＝（３，４）」や、「（１２，２４）」などである。また、座標軸情報は、例えば、「Ｘ軸」や、「Ｙ方向」、「Ｚ」などである。また、高度情報は、例えば、「２３４ｍ」や、「５，４３２ｍ」などである。また、距離情報は、例えば、「１００ｍ」や、「１５ｋｍ」などである。また、方位情報は、例えば、「北」や、「南西」、「南南東」、「１８０°」などである。
【００２９】
地点情報は、地点を識別するための地点識別子や、地点の位置を示す地点位置情報などを有する。また、地点情報は、例えば、地点の種類を示す地点種類情報や、地点の色や地図情報で示される地図上の地点の色を示す地点色情報などを有していてもよい。地点識別子は、例えば、「００７」や、「Ｐ−０２３」、「東京駅」、「富士山」などである。また、地点位置情報は、位置情報である。また、地点種類情報は、例えば、「道路」や、「駅」、「飲食店」、「コンビニ」、「その他」などである。また、地点色情報は、色を示す色情報である。色情報は、例えば、「ＲＥＤ」や、「２５５，１２８，６４」、「＃ＦＦＥＥＤＤ」などである。
【００３０】
施設情報は、施設を識別するための施設識別子や、施設の位置を示す施設位置情報、施設の規模を示す施設規模情報などを有する。また、施設情報は、地点情報であってもよい。施設識別子は、例えば、施設ＩＤや、施設名称などである。施設ＩＤは、ＩＤ情報である。施設名称は、名称情報である。施設名称は、例えば、「コンビニＡＢＣ」や、「αショップ」、「ＸＹＺ石油」、「レストランＥ」、「牛丼ＭＡＸ」などである。また、施設位置情報は、位置情報である。また、施設規模情報は、例えば、「４００ｍ＾２」や、「１５ｍ×３０ｍ」、「５００平米」などである。
【００３１】
クイズ情報は、クイズを識別するためのクイズ識別子や、クイズの内容を示すクイズ内容情報、クイズの正解を示すクイズ正解情報などを有する。また、クイズ情報は、例えば、クイズの難易度を示すクイズ難易度情報や、クイズの位置を示すクイズ位置情報などを有していてもよい。クイズ識別子は、例えば、クイズＩＤや、クイズ名称などである。クイズＩＤは、ＩＤ情報である。クイズ名称は、名称情報である。クイズ名称は、例えば、「雑学０１」や、「雑学クイズ」、「ご当地クイズ」、「一般クイズ」などである。また、クイズ内容情報は、例えば、「東京タワーの高さは？」や、「１年は何日？」などである。また、クイズ正解情報は、例えば、「３３３ｍ」や、「３６５日」などである。また、クイズ難易度情報は、例えば、「難」や、「普通」、「易しい」、「上級」、「初級」などである。また、クイズ位置情報は、位置情報である。
【００３２】
対象情報は、例えば、「操作」や、「音声識別子」、「位置情報」、「地点」、「施設情報」、「クイズ」などである。内容情報は、例えば、操作を示す操作情報や、位置関連情報などである。操作情報は、例えば、「タップ」や、「ドラッグ」、「フリック」、「クリック」、「上ボタン」、「下ボタン」などである。判断種別情報は、例えば、「＝」や、「＞」、「＜」、「≧」、「≦」などである。また、連結情報は、例えば、「ＡＮＤ」や、「ＯＲ」、「ａｎｄ」、「ｏｒ」などである。
【００３３】
以上より、音声出力条件は、例えば、「操作｜タップ」や、「位置＝（Ｎ１２．３４．５６，Ｅ１２３．４５．６７）」、「施設｜（コンビニＡＢＣ）ｏｒ（コンビニＤＥＦ）」、「クイズ＝（東京０１）ｏｒ（東京０２）」などである。「操作｜タップ」は、操作情報がタップ操作を示す情報であることを意味する。また、「位置＝（Ｎ１２．３４．５６，Ｅ１２３．４５．６７）」は、位置情報が「（Ｎ１２．３４．５６，Ｅ１２３．４５．６７）」を示す情報であることを意味する。また、「施設｜（コンビニＡＢＣ）ｏｒ（コンビニＤＥＦ）」は、施設情報が「コンビニＡＢＣ」または「コンビニＤＥＦ」で示される情報であることを意味する。また、「クイズ＝（東京０１）ＯＲ（東京０２）」は、クイズ情報が「東京０１」または「東京０２」で示される情報であることを意味する。
【００３４】
端末音声出力関連情報格納部１１１は、不揮発性の記録媒体が好適であるが、揮発性の記録媒体でも実現可能である。
【００３５】
端末受付部１１２は、音声を出力することに関する指示である音声出力指示を受け付ける。音声出力指示は、例えば、指示を識別する指示識別子や、音声識別子、音声出力条件などを有する。音声出力指示における指示識別子は、当該指示が音声出力指示であることを示す情報である。指示識別子は、例えば、「音声出力」や、「音声」などである。
【００３６】
以上より、音声出力指示は、例えば、「音声出力｜地点情報」や、「音声｜ＡＬＬ」、「Ｓｏｕｎｄ．ｗａｖ」、「地点｜Ｐ−０２３」、「施設｜コンビニＡＢＣ」、「クイズ｜東京０１」などである。「音声出力｜地点情報」は、地点情報であることを示す対象情報を有する条件情報に対応する音声を出力することを意味する。また、「音声｜ＡＬＬ」は、すべての音声を出力することを意味する。また、「Ｓｏｕｎｄ．ｗａｖ」は、「Ｓｏｕｎｄ．ｗａｖ」で識別される音声を出力することを意味する。また、「地点｜Ｐ−０２３」は、「Ｐ−０２３」で示される地点に対応する音声を出力することを意味する。また、「施設｜コンビニＡＢＣ」は、「コンビニＡＢＣ」で識別される施設に対応する音声を出力することを意味する。また、「クイズ｜東京０１」は、「東京０１」で識別されるクイズに対応する音声を出力することを意味する。
【００３７】
また、端末受付部１１２は、音声出力指示以外の指示を受け付けてもよい。音声出力指示以外の指示は、例えば、電源ＯＮの指示や、電源ＯＦＦの指示などである。なお、端末受付部１１２が音声出力指示以外の指示を受け付けた場合、端末装置１１は、通常、当該受け付けた指示に従った処理を行う。
【００３８】
また、これらの指示は、通常、ユーザの操作によるものである。当該操作は、例えば、ボタンの操作や、タッチパネルへのタップ操作、ドラッグ操作、フリック操作、ピンチアウト操作、ピンチイン操作などである。
【００３９】
また、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４０】
端末受付部１１２における音声出力指示の入力手段は、キーボードやマウスやメニュー画面によるものなど、何でもよい。端末受付部１１２は、キーボード等の入力手段のデバイスドライバーや、メニュー画面の制御ソフトウェアなどで実現され得る。
【００４１】
端末音声出力関連情報取得部１１３は、端末受付部１１２が受け付けた音声出力指示に対応する音声情報を、端末音声出力関連情報格納部１１１から取得する。つまり、端末音声出力関連情報取得部１１３は、例えば、当該音声出力指示が有する情報を用いて、端末音声出力関連情報格納部１１１に格納されている音声出力関連情報から、当該音声出力指示が有する情報に対応する音声情報を検索し、取得する。
【００４２】
例えば、端末音声出力関連情報格納部１１１に、音声出力関連情報「施設｜コンビニＡＢＣ｜ｃｏｎｖ＿ＡＢＣ．ｍｐ３」が格納されているとする。この場合において、端末受付部１１２が、音声出力条件「施設｜コンビニＡＢＣ」を有する音声出力指示を受け付けたとする。すると、端末音声出力関連情報取得部１１３は、端末受付部１１２が受け付けた音声出力指示が有する出力条件「施設｜コンビニＡＢＣ」を用いて、端末音声出力関連情報格納部１１１に格納されている音声情報を検索し、ファイル名「ｃｏｎｖ＿ＡＢＣ．ｍｐ３」を有する音声情報を取得する。
【００４３】
また、例えば、端末音声出力関連情報格納部１１１に、音声出力関連情報「００１｜ＢＧＭ−０１．ｗａｖ」が格納されているとする。この場合において、端末受付部１１２が、音声識別子「００１」を有する音声出力指示を受け付けたとする。すると、端末音声出力関連情報取得部１１３は、端末受付部１１２が受け付けた音声出力指示が有する音声識別子「００１」を用いて、端末音声出力関連情報格納部１１１に格納されている音声情報を検索し、ファイル名「ＢＧＭ−０１．ｗａｖ」を有する音声情報を取得する。
【００４４】
端末音声出力関連情報取得部１１３は、例えば、端末受付部１１２が音声出力指示を受け付けたか否かを判断し、受け付けた場合に、音声情報を取得してもよい。また、端末音声出力関連情報取得部１１３は、例えば、端末受付部１１２が受け付けた指示が、音声出力指示であるか否かを判断し、音声出力指示である場合に、音声情報を取得してもよい。
【００４５】
端末音声出力関連情報取得部１１３は、通常、ＭＰＵやメモリ等から実現され得る。端末音声出力関連情報取得部１１３の処理手順は、通常、ソフトウェアで実現され、当該ソフトウェアはＲＯＭ等の記録媒体に記録されている。但し、ハードウェア（専用回路）で実現してもよい。
【００４６】
端末送信部１１４は、端末音声出力関連情報取得部１１３が取得した音声情報を、車載装置１２に送信する。また、端末送信部１１４は、例えば、端末音声出力関連情報取得部１１３が取得した音声情報を取得し、再生し、音声信号を生成し、当該音声信号を、車載装置１２に送信してもよい。端末送信部１１４は、通常、無線または有線の通信手段で実現されるが、放送手段で実現されてもよい。
【００４７】
受信部１２１は、端末送信部１１４が送信する音声情報を受信する。受信部１２１は、通常、無線または有線の通信手段で実現されるが、放送を受信する手段で実現されてもよい。
【００４８】
出力部１２２は、受信部１２１が受信した音声情報を用いて、音声を出力する。出力とは、通常、スピーカーへ出力することである。例えば、受信部１２１が受信した音声情報が文字情報である場合、出力部１２２は、当該文字情報から、いわゆる音声合成により音声データを生成し、当該音声データを再生する。なお、音声合成は、公知の技術であるので、詳細な説明を省略する。また、例えば、受信部１２１が受信した音声情報が音声データである場合、出力部１２２は、当該音声データを再生する。
【００４９】
出力部１２２は、スピーカーなどの出力デバイスを含むと考えてもよいし、含まないと考えてもよい。出力部１２２は、出力デバイスのドライバーソフトまたは、出力デバイスのドライバーソフトと出力デバイスなどで実現され得る。
【００５０】
次に、情報システム１の動作について説明する。まず、端末装置１１の全体動作について説明する。図３は、端末装置１１の全体動作を示すフローチャートである。
【００５１】
（ステップＳ３０１）端末受付部１１２は、指示を受け付けたか否かを判断する。受け付けた場合は、ステップＳ３０２に進み、そうでない場合は、ステップＳ３０１に戻る。
【００５２】
（ステップＳ３０２）端末音声出力関連情報取得部１１３は、ステップＳ３０１で受け付けた指示が音声出力指示であるか否かを判断する。音声出力指示である場合は、ステップＳ３０３に進み、そうでない場合は、ステップＳ３０４に進む。
【００５３】
（ステップＳ３０３）端末音声出力関連情報取得部１１３は、ステップＳ３０１で受け付けた音声出力指示が有する情報に対応する音声情報を、端末音声出力関連情報格納部１１１から検索し、取得する。
【００５４】
（ステップＳ３０４）端末送信部１１４は、ステップＳ３０３で取得した音声情報を、車載装置１２に送信し、ステップＳ３０１に戻る。
【００５５】
（ステップＳ３０５）端末装置１１は、ステップＳ３０１で受け付けた指示に応じた処理を行い、ステップＳ３０１に戻る。
【００５６】
なお、図３のフローチャートにおいて、電源オフや処理終了の割り込みにより処理を終了してもよい。
【００５７】
次に、車載装置１２の全体動作について説明する。
【００５８】
（ステップＳ３５１）受信部１２１は、音声情報を受信したか否かを判断する。受信した場合は、ステップＳ３５２に進み、そうでない場合は、ステップＳ３５１に戻る。
【００５９】
（ステップＳ３５２）出力部１２２は、ステップＳ３５１で受信した音声情報を用いて、音声を出力し、ステップＳ３５１に戻る。
【００６０】
なお、車載装置１２の全体動作において、電源オフや処理終了の割り込みにより処理を終了してもよい。
【００６１】
（具体例）
次に、情報システム１の動作の具体例について説明する。なお、本具体例において、端末装置１１は、携帯ゲーム機であるものとする。また、車載装置１２は、自動車に搭載されているナビゲーション装置（以下、カーナビ）であるものとする。また、端末音声出力関連情報格納部１１１には、図４に示す音声出力関連情報が格納されているものとする。当該音声出力関連情報は、各レコードを一意に特定するためのＩＤと、条件情報と、音声ファイル名とを有する。また、当該音声ファイル名は、音声情報が有する音声ファイル名であり、当該音声ファイル名にて、音声情報が一意に特定できるものとする。なお、当該音声情報は、音声ファイルであるものとする。また、端末装置１１は、１以上のクイズ情報を有しており、当該クイズ情報は、ユーザの操作により、ユーザに提示されるものとする。なお、当該クイズ情報は、端末装置１１の任意の記憶領域に格納されているものとする。
【００６２】
まず、ユーザが、カーナビの電源がＯＮになっている状態で、携帯ゲーム機を操作し、いくつかの雑学クイズが表示されたとする。そして、ユーザは、表示された雑学クイズのうち、「鉄道０１」で識別される雑学クイズを選択したとする。すると、端末受付部１１２は、音声出力条件「雑学クイズ｜鉄道０１」を有する音声出力指示を受け付ける。
【００６３】
次に、端末音声出力関連情報取得部１１３は、端末受付部１１２が受け付けた音声出力指示が有する音声出力条件「雑学クイズ｜鉄道０１」に対応する音声情報を、図４の音声出力関連情報から検索する。そして、端末音声出力関連情報取得部１１３は、図４の「ＩＤ＝０１１」のレコードが有する音声ファイル名「ｑｕｉｚ＿ｔｒａｉｎ０１．ａａｃ」を有する音声ファイルを取得する。
【００６４】
次に、端末送信部１１４は、音声ファイル名「ｑｕｉｚ＿ｔｒａｉｎ０１．ａａｃ」を有する音声ファイルを、カーナビに送信する。また、携帯ゲーム機は、当該音声ファイルを再生し、搭載されているスピーカーから出力する。
【００６５】
次に、カーナビの受信部１２１は、音声ファイル名「ｑｕｉｚ＿ｔｒａｉｎ０１．ａａｃ」を有する音声ファイルを受信する。そして、出力部１２２は、当該音声ファイルを再生し、カーナビに接続されているスピーカーから出力する。
【００６６】
なお、本具体例において、携帯ゲーム機からカーナビに、音声ファイルを送信する例を示したが、テキストや、音声信号を送信してもよい。
【００６７】
以上、本実施の形態による情報システム１によれば、端末装置１１から車載装置１２に音声情報を送信することにより、車載装置１２から音声を出力することができる。
【００６８】
また、本実施の形態による情報システム１によれば、端末音声出力関連情報格納部１１１に格納する音声情報を文字情報とすることにより、端末音声出力関連情報格納部１１１の容量を削減することができる。
【００６９】
また、本実施の形態のよる情報システム１によれば、文字情報である音声情報を端末装置１１から車載装置１２に送信することにより、端末装置１１から車載装置１２に送信する情報量を削減することができる。
【００７０】
また、本実施の形態による情報システム１によれば、近距離無線通信により、端末装置１１から車載装置１２への音声情報の送信のタイミングと同様のタイミングで、車載装置１２から音声を出力することができる。
【００７１】
また、本実施の形態による情報システム１によれば、例えば、本情報システム１を車内で使用する場合に、端末装置１１を操作するユーザに対して端末装置１１が出力する音声情報と同一の音声情報を、車載装置１２により乗車者全員に対しても出力することができる。
【００７２】
また、本実施の形態による情報システム１によれば、例えば、本情報システム１を車内で使用する場合に、乗車者全員が同一の音声を視聴することができ、乗車者間のコミュニケーションを生み出し、また、車内の雰囲気を盛り上げることができる。
【００７３】
なお、本実施の形態において、端末装置１１は、音声情報を用いて音声を出力する端末出力部を備えていてもよい。当該端末出力部は、端末音声出力関連情報取得部１１３が取得した音声情報を用いて、音声を出力する。
【００７４】
（実施の形態２）
本実施の形態において、端末装置から車載装置に、先に音声情報を送信し、後から音声出力条件を送信し、車載装置が当該音声出力条件に応じた音声を出力する情報システム２について説明する。
【００７５】
本実施の形態における情報システム２の概念図は、図１と同様であり、図１の端末装置１１を端末装置２１と、車載装置１２を車載装置２２と読み替えたものである。また、その他についても同様である。
【００７６】
図５は、本実施の形態における端末装置２１、および車載装置２２のブロック図である。端末装置２１は、端末音声出力関連情報格納部１１１、端末受付部１１２、端末音声出力関連情報取得部２１３、端末送信部２１４を備える。車載装置２２は、音声情報格納部２２３、受信部２２１、音声情報蓄積部２２４、音声情報取得部２２５、出力部２２２を備える。
【００７７】
端末音声出力関連情報取得部２１３は、端末受付部１１２が受け付けた音声出力指示に対応する２以上の音声情報を、端末音声出力関連情報格納部１１１から取得する。つまり、端末音声出力関連情報取得部２１３は、例えば、当該音声出力指示が有する情報を用いて、端末音声出力関連情報格納部１１１に格納されている音声出力関連情報から、当該音声出力指示が有する情報に対応する２以上の音声情報を検索し、取得する。なお、音声情報の取得の方法や手順などは、端末音声出力関連情報取得部１１３と同様であるので、説明を省略する。
【００７８】
端末音声出力関連情報取得部２１３は、例えば、端末装置２１の電源がＯＮになった直後に、音声情報を取得してもよい。また、端末音声出力関連情報取得部２１３は、例えば、車載装置２２の電源がＯＮになったか否かを判断し、ＯＮになった場合に、音声情報を取得してもよい。また、端末音声出力関連情報取得部２１３は、例えば、車載装置２２が音声情報を受信できる状態であるか否かを判断し、受信できる状態である場合に、音声情報を取得してもよい。
【００７９】
また、端末音声出力関連情報取得部２１３は、端末受付部１１２が受け付けた音声出力指示に対応する音声出力条件を取得してもよい。つまり、端末音声出力関連情報取得部２１３は、例えば、当該音声出力指示が有する情報を用いて、端末音声出力関連情報格納部１１１に格納されている音声出力関連情報から、当該音声出力指示が有する情報に対応する音声出力条件を検索し、取得する。
【００８０】
例えば、端末音声出力関連情報格納部１１１に、音声出力関連情報「施設｜コンビニＡＢＣ｜ｃｏｎｖ＿ＡＢＣ．ｍｐ３」が格納されているとする。この場合において、端末受付部１１２が音声出力指示「施設｜コンビニＡＢＣ」を受け付けたとする。すると、端末音声出力関連情報取得部２１３は、端末受付部１１２が受け付けた音声出力指示「施設｜コンビニＡＢＣ」を用いて、端末音声出力関連情報格納部１１１に格納されている音声識別子を検索し、ファイル名「ｃｏｎｖ＿ＡＢＣ．ｍｐ３」を有する音声出力条件を取得する。
【００８１】
また、例えば、端末音声出力関連情報格納部１１１に、音声出力関連情報「操作｜タップ｜クイズ｜東京０１」が格納されているとする。この場合において、端末受付部１１２が音声出力指示「操作｜タップ」を受け付けたとする。すると、端末音声出力関連情報取得部２１３は、端末受付部１１２が受け付けた音声出力指示「操作｜タップ」を用いて、端末音声出力関連情報格納部１１１に格納されている音声出力条件を検索し、音声出力条件「クイズ｜東京０１」を取得する。
【００８２】
端末音声出力関連情報取得部２１３は、通常、ＭＰＵやメモリ等から実現され得る。端末音声出力関連情報取得部２１３の処理手順は、通常、ソフトウェアで実現され、当該ソフトウェアはＲＯＭ等の記録媒体に記録されている。但し、ハードウェア（専用回路）で実現してもよい。
【００８３】
端末送信部２１４は、端末音声出力関連情報取得部２１３が取得した音声情報、または音声出力条件を、車載装置２２に送信する。また、端末送信部２１４は、端末受付部１１２が受け付けた音声出力指示を、音声出力条件として、車載装置２２に送信してもよい。その他、音声情報の送信の方法などは、端末送信部１１４と同様であるので、説明を省略する。端末送信部２１４は、通常、無線または有線の通信手段で実現されるが、放送手段で実現されてもよい。
【００８４】
音声情報格納部２２３は、音声情報を格納し得る。また、音声情報格納部２２３は、音声出力関連情報を格納してもよい。音声情報格納部２２３は、不揮発性の記録媒体が好適であるが、揮発性の記録媒体でも実現可能である。
【００８５】
受信部２２１は、端末送信部２１４が送信する音声情報、または音声出力条件を受信する。受信部２２１は、通常、無線または有線の通信手段で実現されるが、放送を受信する手段で実現されてもよい。
【００８６】
音声情報蓄積部２２４は、受信部２２１が受信した音声情報を、音声情報格納部２２３に蓄積する。音声情報蓄積部２２４は、例えば、受信部２２１が音声情報を受信したか否かを判断し、受信した場合に、当該音声情報を、音声情報格納部２２３に蓄積してもよい。また、音声情報蓄積部２２４は、例えば、受信部２２１が受信した情報が、音声情報であるか否かを判断し、音声情報である場合に、当該音声情報を、音声情報格納部２２３に蓄積してもよい。音声情報蓄積部２２４は、通常、ＭＰＵやメモリ等から実現され得る。音声情報蓄積部２２４の処理手順は、通常、ソフトウェアで実現され、当該ソフトウェアはＲＯＭ等の記録媒体に記録されている。但し、ハードウェア（専用回路）で実現してもよい。
【００８７】
音声情報取得部２２５は、音声情報格納部２２３から、受信部２２１が受信した音声出力条件に対応する音声情報を取得する。なお、音声情報の取得の方法や手順などは、端末音声出力関連情報取得部１１３と同様であるので、説明を省略する。音声情報取得部２２５は、通常、ＭＰＵやメモリ等から実現され得る。音声情報取得部２２５の処理手順は、通常、ソフトウェアで実現され、当該ソフトウェアはＲＯＭ等の記録媒体に記録されている。但し、ハードウェア（専用回路）で実現してもよい。
【００８８】
出力部２２２は、音声情報取得部２２５が取得した音声情報を用いて、音声を出力する。なお、音声の出力方法などは、出力部１２２と同様であるので、説明を省略する。出力部２２２は、スピーカーなどの出力デバイスを含むと考えてもよいし、含まないと考えてもよい。出力部２２２は、出力デバイスのドライバーソフトまたは、出力デバイスのドライバーソフトと出力デバイスなどで実現され得る。
【００８９】
次に、情報システム２の動作について説明する。まず、端末装置２１の全体動作について説明する。図６は、端末装置２１の全体動作を示すフローチャートである。
【００９０】
（ステップＳ６０１）端末音声出力関連情報取得部２１３は、音声情報の取得のタイミングであるか否かを判断する。取得のタイミングである場合は、ステップＳ６０２に進み、そうでない場合は、ステップＳ６０１に戻る。
【００９１】
（ステップＳ６０２）端末音声出力関連情報取得部２１３は、端末音声出力関連情報格納部１１１に格納されている音声情報を取得する。
【００９２】
（ステップＳ６０３）端末送信部２１４は、ステップＳ６０２で取得した音声情報を、車載装置２２に送信する。
【００９３】
（ステップＳ６０４）端末受付部１１２は、指示を受け付けたか否かを判断する。受け付けた場合は、ステップＳ６０５に進み、そうでない場合は、ステップＳ６０４に戻る。
【００９４】
（ステップＳ６０５）端末送信部２１４は、ステップＳ６０４で受け付けた指示が音声出力指示であるか否かを判断する。音声出力指示である場合は、ステップＳ６０６に進み、そうでない場合は、ステップＳ６０７に進む。
【００９５】
（ステップＳ６０６）端末音声出力関連情報取得部２１３は、ステップＳ６０４で受け付けた音声出力指示に対応する音声出力条件を、端末音声出力関連情報格納部１１１から検索し、取得する。
【００９６】
（ステップＳ６０７）端末送信部２１４は、ステップＳ６０６で取得した音声出力条件を、車載装置２２に送信し、ステップＳ６０４に戻る。
【００９７】
（ステップＳ６０８）端末装置２１は、ステップＳ６０４で受け付けた指示に応じた処理を行い、ステップＳ６０４に戻る。
【００９８】
なお、図６のフローチャートにおいて、電源オフや処理終了の割り込みにより処理を終了してもよい。
【００９９】
また、図６のフローチャートにおいて、音声出力条件の送信前に、端末送信部２１４が、音声情報が送信済みであるか否かを判断してもよい。送信済みである場合、端末送信部２１４は、音声出力条件を車載装置２２に送信する。また、送信済みでない場合、端末音声出力関連情報取得部２１３が端末音声出力関連情報格納部１１１に格納されている音声情報を取得し、当該音声情報を端末送信部２１４が送信後に、端末送信部２１４は、音声出力指示を車載装置２２に送信する。
【０１００】
次に、車載装置２２の全体動作について説明する。図７は、車載装置２２の全体動作を示すフローチャートである。
【０１０１】
（ステップＳ７０１）受信部２２１は、音声情報を受信したか否かを判断する。受信した場合は、ステップＳ７０２に進み、そうでない場合は、ステップＳ７０１に戻る。
【０１０２】
（ステップＳ７０２）音声情報蓄積部２２４は、ステップＳ７０１で受信した音声情報を、音声情報格納部２２３に蓄積する。
【０１０３】
（ステップＳ７０３）受信部２２１は、音声出力条件を受信したか否かを判断する。受信した場合は、ステップＳ７０４に進み、そうでない場合は、Ｓ７０３に戻る。
【０１０４】
（ステップＳ７０４）音声情報取得部２２５は、ステップＳ７０３で受信した音声出力条件に対応する音声情報を、音声情報格納部２２３から検索し、取得する。
【０１０５】
（ステップＳ７０５）出力部２２２は、ステップＳ７０４で取得した音声情報を用いて、音声を出力し、ステップＳ７０３に戻る。
【０１０６】
なお、図７のフローチャートにおいて、電源オフや処理終了の割り込みにより処理を終了してもよい。
【０１０７】
また、図７のフローチャートにおいて、音声情報の取得前に、音声情報取得部２２５が、音声情報が蓄積済みであるか否かを判断してもよい。蓄積済みである場合、音声情報取得部２２５は、音声情報を取得する。また、蓄積済みでない場合、受信部２２１が音声情報を受信し、当該音声情報を音声情報蓄積部２２４が蓄積後に、音声情報取得部２２５は、音声情報を取得する。
【０１０８】
（具体例）
次に、情報システム２の動作の具体例について説明する。なお、本具体例において、端末装置２１は、携帯ゲーム機であるものとする。また、車載装置２２は、自動車に搭載されているナビゲーション装置（以下、カーナビ）であるものとする。また、端末音声出力関連情報格納部１１１には、図４に示す音声出力関連情報が格納されているものとする。また、端末装置２１は、１以上のクイズ情報を有しており、当該クイズ情報は、ユーザの操作により、ユーザに提示されるものとする。なお、当該クイズ情報は、端末装置２１の任意の記憶領域に格納されているものとする。
【０１０９】
（例１）
まず、カーナビの電源がＯＮになっている状態で、ユーザが、携帯ゲーム機を操作し、いくつかのご当地クイズが表示されたとする。すると、端末受付部１１２は、音声出力条件「ご当地クイズ｜＊」を有する音声出力指示を受け付ける。ここで、「＊」は、任意の内容情報を示すことを意味する。つまり、音声出力条件「ご当地クイズ｜＊」は、対応する条件情報における対象情報が「ご当地クイズ」であり、かつ内容情報が任意である音声情報を取得することを意味する。
【０１１０】
次に、端末音声出力関連情報取得部２１３は、端末受付部２１３が受け付けた音声出力指示が有する音声出力条件「ご当地クイズ｜＊」に対応する音声出力関連情報を、図４の音声出力関連情報から検索する。そして、端末音声出力関連情報取得部２１３は、図４の「ＩＤ＝０２３」と「ＩＤ＝０２４」のレコードを取得する。そして、端末送信部２１４は、当該端末音声出力関連情報取得部２１３が取得した音声出力関連情報を、カーナビに送信する。
【０１１１】
次に、カーナビの受信部２２１は、端末送信部２１４が送信した音声出力関連情報を受信する。そして、音声情報蓄積部２２４は、当該音声情報管理情報を、音声情報格納部２２３に蓄積する。
【０１１２】
次に、ユーザが、携帯ゲーム機を操作し、表示されているご当地クイズのうち、「神戸０２」で識別されるご当地クイズを選択したとする。すると、端末受付部１１２は、音声出力条件「ご当地クイズ｜神戸０２」を有する音声出力指示を受け付ける。そして、端末送信部２１４は、音声出力条件「ご当地クイズ｜神戸０２」を、カーナビに送信する。
【０１１３】
次に、カーナビの受信部２２１は、音声出力条件「ご当地クイズ｜神戸０２」を受信する。そして、音声情報取得部２２５は、当該音声出力条件を用いて、音声情報格納部２２３から、当該音声出力条件に対応する音声情報を取得する。そして、音声情報取得部２２５は、図４の「ＩＤ＝０２４」のレコードが有する音声ファイル「ｑｕｉｚ＿ｋｏｂｅ０２．ａａｃ」を有する音声ファイルを取得する。
【０１１４】
次に、出力部２２２は、音声ファイル名「ｑｕｉｚ＿ｋｏｂｅ０２．ａａｃ」を有する音声ファイルを再生し、カーナビに接続されているスピーカーから出力する。
【０１１５】
（例２）
まず、カーナビの電源がＯＮになっている状態で、ユーザが、携帯ゲーム機の電源をＯＮにしたとする。すると、端末音声出力関連情報取得部２１３は、すべての音声情報の取得のタイミングであると判断し、図４の音声出力関連情報から、図８に示すすべての音声出力関連情報を取得する。そして、端末送信部２１４は、図８の音声情報を、カーナビに送信する。
【０１１６】
次に、カーナビの受信部２２１は、図８の音声情報を受信する。そして、音声情報蓄積部２２４は、当該音声情報を、音声情報格納部２２３に蓄積する。
【０１１７】
次に、ユーザが、携帯ゲーム機を操作し、いくつかのご当地クイズが表示されたとする。そして、ユーザは、表示されたご当地クイズのうち、「神戸０３」で識別されるご当地クイズを選択したとする。すると、端末受付部１１２は、音声出力条件「ご当地クイズ｜神戸０３」を有する音声出力指示を受け付ける。
【０１１８】
次に、端末送信部２１４は、端末受付部１１２が受け付けた音声出力指示が有する音声出力条件「ご当地クイズ｜神戸０３」に対応する音声ファイル名を、図４の音声出力関連情報から取得する。そして、端末送信部２１４は、図４の「ＩＤ＝０２４」のレコードが有する音声ファイル名「ｑｕｉｚ＿ｋｏｂｅ０３．ａａｃ」を取得したものとする。そして、端末送信部２１４は、当該音声ファイル名を有する音声出力条件「音声出力｜ｑｕｉｚ＿ｋｏｂｅ０３．ａａｃ」を生成し、当該音声出力条件を、カーナビに送信する。また、携帯ゲーム機は、当該音声ファイル名を有する音声ファイルを取得し、当該音声ファイルを再生し、搭載されているスピーカーから出力する。
【０１１９】
次に、カーナビの受信部２２１は、音声出力条件「音声出力｜ｑｕｉｚ＿ｋｏｂｅ０３．ａａｃ」を受信する。そして、音声情報取得部２２５は、受信部２２１が受信した音声出力条件が有する音声ファイル名「ｑｕｉｚ＿ｋｏｂｅ０３．ａａｃ」を有する音声情報を、図８の音声情報から検索する。そして、音声情報取得部２２５は、図８の「ＩＤ＝０２４」のレコードが有する音声ファイル名「ｑｕｉｚ＿ｋｏｂｅ０３．ａａｃ」を有する音声ファイルを取得する。
【０１２０】
次に、出力部２２２は、音声ファイル名「ｑｕｉｚ＿ｋｏｂｅ０３．ａａｃ」を有する音声ファイルを再生し、カーナビに接続されているスピーカーから出力する。
【０１２１】
なお、本具体例において、携帯ゲーム機からカーナビに、音声情報を送信する例を示したが、端末音声出力関連情報格納部１１１に格納されている音声出力関連情報を送信してもよい。
【０１２２】
以上、本実施の形態による情報システム２によれば、端末装置２１から車載装置２２に音声情報、または音声出力条件を送信することにより、車載装置２２から音声を出力することができる。
【０１２３】
また、本実施の形態による情報システム２によれば、端末音声出力関連情報格納部１１１に格納する音声情報を文字情報とすることにより、端末音声出力関連情報格納部１１１の容量を削減することができる。
【０１２４】
また、本実施の形態のよる情報システム２によれば、文字情報である音声情報を端末装置２１から車載装置２２に送信することにより、端末装置２１から車載装置２２に送信する情報量を削減することができる。
【０１２５】
また、本実施の形態による情報システム２によれば、近距離無線通信により、端末装置２１から車載装置２２への音声情報の送信のタイミングと同様のタイミングで、車載装置２２から音声を出力することができる。
【０１２６】
また、本実施の形態による情報システム２によれば、先に音声情報を送信し、後から音声出力条件を送信することにより、ユーザの操作に応じて端末装置２１から車載装置２２に送信する情報量を削減することができる。
【０１２７】
また、本実施の形態による情報システム２によれば、例えば、本情報システム２を車内で使用する場合に、端末装置２１を操作するユーザに対して端末装置２１が出力する音声情報と同一の音声情報を、車載装置２２により乗車者全員に対しても出力することができる。
【０１２８】
また、本実施の形態による情報システム２によれば、例えば、本情報システム２を車内で使用する場合に、乗車者全員が同一の音声を視聴することができ、乗車者間のコミュニケーションを生み出し、また、車内の雰囲気を盛り上げることができる。
【０１２９】
なお、本実施の形態において、端末装置２１は、音声情報を用いて音声を出力する端末出力部を備えていてもよい。当該端末出力部は、端末受付部１１２が受け付けた音声出力指示に対応する音声情報を、端末音声出力関連情報格納部１１１から取得し、当該音声情報を用いて音声を出力する。
【０１３０】
また、本実施の形態において、端末受付部１１２は、端末送信部２１４が音声情報を送信している間、指示を受け付けないようにしてもよい。また、その後、端末送信部２１４が音声情報を送信し終われば、端末受付部１１２は、指示を受け付けるようにしてもよい。
【０１３１】
また、本実施の形態において、端末装置２１は、車載装置２２からの音声情報要求指示に応じて、音声情報を送信してもよい。音声情報要求指示とは、音声情報を要求することに関する指示である。また、音声情報要求指示は、例えば、音声出力条件などを有する。この場合、車載装置２２は、送信部を備える。当該送信部は、例えば、車載装置２２の電源がＯＮになったか否かを判断し、なった場合に、音声情報要求指示を、端末装置２１に送信する。また、この場合、端末装置２１は、端末受信部を備える。当該端末受信部は、送信部が送信する音声情報要求指示を受信する。また、この場合、端末音声出力関連情報取得部２１３は、端末受信部が受信した音声情報要求指示が有する音声出力条件を用いて、端末音声出力関連情報格納部１１１から、当該音声出力条件に対応する音声情報を取得する。
【０１３２】
（実施の形態３）
本実施の形態において、端末装置が車載装置から位置関連情報を受信し、当該位置関連情報に対応する音声情報を取得し、端末装置から車載装置に当該音声情報を送信し、車載装置が当該音声情報を用いて、音声を出力する情報システムについて説明する。
【０１３３】
図９は、本実施の形態における情報システム３の概念図である。図９において、端末装置３１は、例えば、携帯型のゲーム機や、携帯電話、ＰＤＡ（Ｐｅｒｓｏｎａｌ  Ｄｉｇｉｔａｌ  Ａｓｓｉｓｔａｎｔ）などの携帯端末である。また、図９において、車載装置３２は、例えば、自動車に搭載されるカーナビゲーション装置や、自動車に搭載されているディスプレイ・オーディオ（ディスプレイ付きのオーディオ装置）、他の乗り物に搭載されるナビゲーション装置などである。また、図９において、端末装置３１と車載装置３２との通信は、通常、例えば、Ｂｌｕｅｔｏｏｔｈ（登録商標）などの近距離無線通信である。また、端末装置３１と車載装置３２との通信は、Ｗｉ−Ｆｉ（登録商標）等の無線ＬＡＮによる通信や、その他の無線通信であってもよい。
【０１３４】
図１０は、本実施の形態における情報システム３のブロック図である。端末装置３１は、端末音声出力関連情報格納部１１１、端末受付部３１２、端末受信部３１５、端末音声出力関連情報取得部３１３、端末送信部３１４を備える。車載装置３２は、位置関連情報格納部３２６、位置情報取得部３２７、受信部３２１、位置関連情報取得部３２８、送信部３２９、出力部３２２を備える。
【０１３５】
端末受付部３１２は、位置関連情報を要求することに関する指示である位置関連情報要求指示、または音声出力指示を受け付ける。位置関連情報要求指示は、例えば、指示識別子や、位置関連情報の種類を示す位置関連種類情報、位置情報の種類を示す位置種類情報、地点情報の種類を示す地点種類情報、施設情報の種類を示す施設種類情報、クイズ情報の種類を示すクイズ種類情報などを有する。
【０１３６】
位置関連情報要求指示における指示識別子は、当該指示が位置関連情報要求指示であることを示す情報である。指示識別子は、例えば、「位置関連情報要求」や、「位置関連情報」、「位置関連」などである。
【０１３７】
位置関連種類情報は、例えば、「位置情報」や、「地点」、「施設情報」、「クイズ」などである。また、位置種類情報は、例えば、「現在位置」や、「目的地」、「経緯度」、「座標」などである。また、地点種類情報は、例えば、「周辺地点」や、「目的地周辺地点」、「地点｜周辺」などである。また、施設種類情報は、例えば、「周辺施設」や、「目的地周辺施設」、「施設｜周辺」などである。また、クイズ種類情報は、例えば、「周辺クイズ」や、「目的地周辺クイズ」、「クイズ｜周辺」などである。
【０１３８】
以上より、位置関連情報要求指示は、例えば、「位置関連情報｜現在位置」や、「位置関連｜目的地周辺地点」、「施設情報｜周辺」、「クイズ｜目的地周辺」などである。「位置関連情報｜現在位置」は、位置関連情報として現在位置情報を要求することを意味する。また、「位置関連｜目的地周辺地点」は、位置関連情報として目的地周辺の地点情報を要求することを意味する。また、「施設情報｜周辺」は、位置関連情報として現在位置周辺の施設情報を要求することを意味する。また、「クイズ｜目的地周辺」は、位置関連情報として目的地周辺のクイズ情報を要求することを意味する。
【０１３９】
なお、端末受付部３１２が受け付けてもよいその他の指示や、指示の受け付けの方法などについては、端末受付部１１２と同様であるので、説明を省略する。
【０１４０】
端末受付部３１２における位置関連情報要求指示、または音声出力指示の入力手段は、キーボードやマウスやメニュー画面によるものなど、何でもよい。端末受付部３１２は、キーボード等の入力手段のデバイスドライバーや、メニュー画面の制御ソフトウェアなどで実現され得る。
【０１４１】
端末受信部３１５は、後述の送信部３２９が送信する位置関連情報を受信する。端末受信部３１５は、通常、無線または有線の通信手段で実現されるが、放送を受信する手段で実現されてもよい。
【０１４２】
端末音声出力関連情報取得部３１３は、端末受付部３１２が受け付けた音声出力指示、または端末受信部３１５が受信した位置関連情報に対応する音声情報を、端末音声出力関連情報格納部１１１から取得する。つまり、端末音声出力関連情報取得部３１３は、例えば、当該音声出力指示、または位置関連情報が有する情報を用いて、端末音声出力関連情報格納部１１１に格納されている音声出力関連情報から、当該音声出力指示、または当該位置関連情報が有する情報に対応する音声情報を検索し、取得する。
【０１４３】
例えば、端末音声出力関連情報格納部１１１に、音声出力関連情報「距離｜５００ｍ｜ｄｉｓｔａｎｃｅ０５．ａａｃ」が格納されているとする。この場合において、端末受信部３１５が位置関連情報である距離情報「距離｜５００ｍ」を受信したとする。すると、端末音声出力関連情報取得部３１３は、端末受信部３１５が受信した距離情報「距離｜５００ｍ」を用いて、端末音声出力関連情報格納部１１１に格納されている音声情報を検索し、ファイル名「ｄｉｓｔａｎｃｅ０５．ａａｃ」を有する音声情報を取得する。
【０１４４】
また、例えば、端末音声出力関連情報格納部１１１に、音声出力関連情報「北東｜４００ｍ｜ｄｉｓｔａｎｃｅ０４．ａａｃ」が格納されているとする。この場合において、端末受信部３１５が、位置関連情報である現在位置情報と、現在位置周辺の周辺施設情報を受信したとする。すると、端末音声出力関連情報取得部３１３は、例えば、当該現在位置情報と、当該周辺施設情報が有する位置情報とから、現在位置に対する周辺施設の方位と距離を算出する。ここで、端末音声出力関連情報取得部３１３は、現在位置に対する周辺施設の方位と距離「北東｜４００ｍ」を算出したとする。すると、端末音声出力関連情報取得部３１３は、当該方位と距離を用いて、端末音声出力関連情報格納部１１１に格納されている音声情報を検索し、ファイル名「ｄｉｓｔａｎｃｅ０４．ａａｃ」を有する音声情報を取得する。
【０１４５】
なお、音声出力指示に対応する音声情報の取得の方法や手順などは、端末音声出力関連情報取得部１１３と同様であるので、説明を省略する。
【０１４６】
端末音声出力関連情報取得部３１３は、通常、ＭＰＵやメモリ等から実現され得る。端末音声出力関連情報取得部３１３の処理手順は、通常、ソフトウェアで実現され、当該ソフトウェアはＲＯＭ等の記録媒体に記録されている。但し、ハードウェア（専用回路）で実現してもよい。
【０１４７】
端末送信部３１４は、端末受付部３１２が受け付けた位置関連情報要求指示、または端末音声出力関連情報取得部３１３が取得した音声情報を、車載装置３２に送信する。つまり、端末送信部３１４は、端末受付部３１２が位置関連情報要求指示を受け付けた場合は、当該位置関連情報要求指示を、車載装置３２に送信する。また、端末送信部３１４は、端末音声出力関連情報取得部３１３が音声情報を取得した場合は、当該音声情報を、車載装置３２に送信する。その他、音声情報の送信の方法などは、端末送信部１１４と同様であるので、説明を省略する。端末送信部３１４は、通常、無線または有線の通信手段で実現されるが、放送手段で実現されてもよい。
【０１４８】
位置関連情報格納部３２６は、位置関連情報を格納し得る。なお、位置関連情報の詳細は前述のとおりであるので、説明を省略する。位置関連情報格納部３２６は、不揮発性の記録媒体が好適であるが、揮発性の記録媒体でも実現可能である。
【０１４９】
位置情報取得部３２７は、位置情報を取得する。当該位置情報は、例えば、車載装置３２の現在位置を示す現在位置情報や、目的地の位置を示す目的地位置情報、現在位置周辺の地点の位置を示す周辺地点位置情報などである。なお、位置情報の取得のタイミングは問わない。また、位置情報の取得の方法や手順などは、公知であるので、詳細な説明を省略する。
【０１５０】
位置情報取得部３２７は、通常、いわゆるＧＰＳや、移動体通信用の基地局から位置情報を受信する装置などのハードウェア（専用回路）で実現され得る。また、位置情報取得部３２７は、ＭＰＵやメモリ等から実現されてもよい。位置情報取得部３２７の処理手順は、通常、ソフトウェアで実現され、当該ソフトウェアはＲＯＭ等の記録媒体に記録されている。
【０１５１】
受信部３２１は、端末送信部３１４が送信する位置関連情報要求指示、または音声情報を受信する。受信部３２１は、通常、無線または有線の通信手段で実現されるが、放送を受信する手段で実現されてもよい。
【０１５２】
位置関連情報取得部３２８は、位置関連情報要求指示に対応する位置関連情報を、位置情報取得部３２７、または位置関連情報格納部３２６から取得する。当該位置関連情報要求指示は、受信部３２１が受信した位置関連情報要求指示である。
【０１５３】
例えば、位置関連情報要求指示が、位置情報を示す位置関連種類情報を有している場合、位置関連情報取得部３２８は、位置情報取得部３２７が取得した位置情報を取得する。また、位置関連情報要求指示が、位置情報以外を示す位置関連種類情報を有している場合、位置関連情報取得部３２８は、当該位置関連情報要求指示が有する位置関連種類情報を用いて、位置関連情報格納部３２６から、当該位置関連種類情報に対応する位置関連情報を検索し、取得する。
【０１５４】
例えば、受信部３２１が位置関連種類情報「現在位置｜経緯度」を有する位置関連情報要求指示を受信したとする。すると、位置関連情報取得部３２８は、位置情報取得部３２７が取得した経緯度を示す現在位置情報を、位置関連情報として取得する。
【０１５５】
また、例えば、位置関連情報格納部３２６に、地点情報「（道路｜国道１号線｜（Ｎ３５．７９，Ｅ１３５．７９））、（駅｜東京駅｜（Ｎ３５．５７，Ｅ１３５．５７））」が格納されているとする。この場合において、受信部３２１が位置関連種類情報「地点」を有する位置関連情報要求指示を受信したとする。すると、位置関連情報取得部３２８は、位置関連種類情報「地点」を用いて、位置関連情報格納部３２６から、地点情報「（道路｜国道１号線｜（Ｎ３５．７９，Ｅ１３５．７９））、（駅｜東京駅｜（Ｎ３５．５７，Ｅ１３５．５７））」を、位置関連情報として取得する。
【０１５６】
また、例えば、位置関連情報格納部３２６に、施設情報「（コンビニ｜ショップα｜（Ｎ２４．６８，Ｅ１２４．６８）），（コンビニ｜ショップβ｜（Ｎ２０．６４，Ｅ１２０．６４））」が格納されているとする。この場合において、受信部３２１が位置関連種類情報「周辺施設」を有する位置関連情報要求指示を受信したとする。このとき、車載装置３２が「（Ｎ２４．５６，Ｅ１２４．６７）」で示される地点にあったとする。すると、位置情報取得部３２７は、現在位置情報「（Ｎ２４．５６，Ｅ１２４．６７）」を取得する。そして、位置関連情報取得部３２８は、位置情報取得部３２７が取得した現在位置情報「（Ｎ２４．５６，Ｅ１２４．６７）」を取得する。そして、位置関連情報取得部３２８は、位置関連情報格納部３２６に格納されている施設情報が有する位置情報が示す位置と、取得した現在位置情報が示す位置との間の距離を算出し、例えば、周辺施設情報「（コンビニ｜ショップα｜（Ｎ２４．６８，Ｅ１２４．６８））を、位置関連情報として取得する。
【０１５７】
また、例えば、目的地周辺施設情報など、任意の位置の周辺の位置関連情報を取得する場合、位置関連情報取得部３２８は、通常、任意の位置と、位置関連情報が有する位置情報が示す位置との間の距離を算出し、当該距離が、いわゆる「周辺」であるか否かを判断し、「周辺」である場合は、当該「周辺」である位置情報を有する位置関連情報を取得する。なお、２点の位置間の距離を算出する方法や、当該距離が「周辺」であるか否かの判断の方法などは、公知であるので、詳細な説明を省略する。また、当該任意の位置は、例えば、位置関連情報要求指示に含まれる位置情報が示す位置であってもよいし、位置情報取得部３２７が取得した位置情報が示す位置であってもよい。
【０１５８】
また、位置関連情報取得部３２８は、例えば、位置関連種類情報を保持しており、当該位置関連種類情報を用いて、位置関連情報を取得してもよい。つまり、位置関連情報取得部３２８は、受信部３２１が位置関連情報要求指示を受信せずとも、位置関連情報を取得してもよい。
【０１５９】
位置関連情報取得部３２８は、通常、ＭＰＵやメモリ等から実現され得る。位置関連情報取得部３２８の処理手順は、通常、ソフトウェアで実現され、当該ソフトウェアはＲＯＭ等の記録媒体に記録されている。但し、ハードウェア（専用回路）で実現してもよい。
【０１６０】
送信部３２９は、位置関連情報取得部３２８が取得した位置関連情報を、端末装置３１に送信する。送信部３２９は、通常、無線または有線の通信手段で実現されるが、放送手段で実現されてもよい。
【０１６１】
出力部３２２は、受信部３２１が受信した音声情報を用いて、音声を出力する。なお、音声情報の出力方法などは、出力部１２２と同様であるので、説明を省略する。出力部３２２は、スピーカーなどの出力デバイスを含むと考えてもよいし、含まないと考えてもよい。出力部３２２は、出力デバイスのドライバーソフトまたは、出力デバイスのドライバーソフトと出力デバイスなどで実現され得る。
【０１６２】
次に、情報システム３の動作について説明する。まず、端末装置３１の全体動作について説明する。図１１は、端末装置３１の全体動作を示すフローチャートである。
【０１６３】
（ステップＳ１１０１）端末受付部３１２は、指示を受け付けたか否かを判断する。受け付けた場合は、ステップＳ１１０２に進み、そうでない場合は、ステップＳ１１０１に戻る。
【０１６４】
（ステップＳ１１０２）端末送信部３１４は、ステップＳ１１０１で受け付けた指示が位置関連情報要求指示であるか否かを判断する。位置関連情報送信要求指示である場合は、ステップＳ１１０３に進み、そうでない場合は、ステップＳ１１０５に進む。
【０１６５】
（ステップＳ１１０３）端末送信部３１４は、ステップＳ１１０１で受け付けた位置関連情報要求指示を、車載装置３２に送信する。
【０１６６】
（ステップＳ１１０４）端末受信部３１５は、位置関連情報を受信したか否かを判断する。受信した場合は、ステップＳ１１０１に戻り、そうでない場合は、ステップＳ１１０４に戻る。
【０１６７】
（ステップＳ１１０５）端末音声出力関連情報取得部３１３は、ステップＳ１１０１で受け付けた指示が音声出力指示であるか否かを判断する。音声出力指示である場合は、ステップＳ１１０６に進み、そうでない場合は、ステップＳ１１０９に進む。
【０１６８】
（ステップＳ１１０６）端末音声出力関連情報取得部３１３は、位置関連情報が受信済みであるか否かを判断する。受信済みである場合は、ステップＳ１１０７に進み、そうでない場合は、ステップＳ１１０１に戻る。
【０１６９】
（ステップＳ１１０７）端末音声出力関連情報取得部３１３は、ステップＳ１１０１で受け付けた音声出力指示、およびステップＳ１１０４で受信した位置関連情報に対応する音声情報を、端末音声出力関連情報格納部１１１から検索し、取得する。
【０１７０】
（ステップＳ１１０８）端末送信部３１４は、ステップＳ１１０７で取得した音声情報を、車載装置３２に送信し、ステップＳ１１０１に戻る。
【０１７１】
（ステップＳ１１０９）端末装置３１は、ステップＳ１１０１で受け付けた指示に応じた処理を行い、ステップＳ１１０１に戻る。
【０１７２】
なお、図１１のフローチャートにおいて、電源オフや処理終了の割り込みにより処理を終了してもよい。
【０１７３】
また、図１１のフローチャートのステップＳ１１０６において、位置関連情報が受信済みでない場合は、ステップＳ１１０３に進んでもよい。
【０１７４】
次に、車載装置３２の全体動作について説明する。図１２は、車載装置３２の全体動作を示すフローチャートである。
【０１７５】
（ステップＳ１２０１）受信部３２１は、位置関連情報要求指示を受信したか否かを判断する。受信した場合は、ステップＳ１２０２に進み、そうでない場合は、ステップＳ１２０８に進む。
【０１７６】
（ステップＳ１２０２）位置情報取得部３２７は、位置情報を取得する。
【０１７７】
（ステップＳ１２０３）位置関連情報取得部３２８は、ステップＳ１２０１で受信した位置関連情報要求指示が、位置情報を示す情報であるか否かを判断する。位置情報を示す情報である場合は、ステップＳ１２０４に進み、そうでない場合は、ステップＳ１２０５に進む。
【０１７８】
（ステップＳ１２０４）送信部３２９は、ステップＳ１２０２で取得した位置情報を、端末装置３１に送信し、ステップＳ１２０１に戻る。
【０１７９】
（ステップＳ１２０５）位置関連情報取得部３２８は、ステップＳ１２０１で受信した位置関連情報要求指示が、周辺施設情報を示す情報であるか否かを判断する。周辺施設情報を示す情報である場合は、ステップＳ１２０６に進み、そうでない場合は、ステップＳ１２０１に戻る。
【０１８０】
（ステップＳ１２０６）位置関連情報取得部３２８は、ステップＳ１２０２で取得した位置情報で示される位置周辺の施設に関する周辺施設情報を、位置関連情報格納部３２６から検索し、取得する。
【０１８１】
（ステップＳ１２０７）送信部３２９は、ステップＳ１２０６で取得した周辺施設情報を、端末装置３１に送信し、ステップＳ１２０１に戻る。
【０１８２】
（ステップＳ１２０８）受信部３２１は、音声情報を受信したか否かを判断する。受信した場合は、ステップＳ１２０９に進み、そうでない場合は、ステップＳ１２０１に戻る。
【０１８３】
（ステップＳ１２０９）出力部３２２は、ステップＳ１２０８で受信した音声情報を用いて、音声を出力し、ステップＳ１２０１に戻る。
【０１８４】
なお、図１２のフローチャートにおいて、電源オフや処理終了の割り込みにより処理を終了してもよい。
【０１８５】
また、図１２のフローチャートにおいて、送信部３２９が、位置情報が取得済みであるか否かを判断してもよい。取得済みである場合、送信部３２９は、位置情報を送信する。取得済みでない場合、位置情報取得部３２７が位置情報を取得後に、送信部３２９は、位置情報を送信する。
【０１８６】
また、図１２のフローチャートにおいて、位置関連情報取得部３２８が、位置情報が取得済みであるか否かを判断してもよい。取得済みである場合、位置関連情報取得部３２８は、位置関連情報を送信する。取得済みでない場合、位置情報取得部３２７が位置情報を取得後に、位置関連情報取得部３２８は、位置関連情報を送信する。
【０１８７】
（具体例）
次に、情報システム３の動作の具体例について説明する。なお、本具体例において、端末装置３１は、携帯ゲーム機であるものとする。また、車載装置３２は、自動車に搭載されているナビゲーション装置（以下、カーナビ）であるものとする。また、端末音声出力関連情報格納部１１１には、図４に示す音声出力関連情報が格納されているものとする。また、端末装置３１は、１以上のクイズ情報を有しており、当該クイズ情報は、ユーザの操作により、ユーザに提示されるものとする。なお、当該クイズ情報は、端末装置３１の任意の記憶領域に格納されているものとする。また、位置関連情報格納部３２６には、図１３に示す位置関連情報が格納されているものとする。当該位置関連情報は、各レコードを一意に特定するためのＩＤと、種類情報と、カテゴリ情報と、名前情報と、位置情報とを有する。位置情報取得部３２７は、常に現在位置情報を取得しているものとする。
【０１８８】
（例１）
まず、ユーザが、携帯ゲーム機を操作し、周辺施設に関するクイズを表示する操作を行ったとする。すると、端末受付部３１２は、位置関連情報要求指示「施設｜周辺」を受け付ける。そして、端末送信部３１４は、端末受付部３１２が受け付けた位置関連情報要求指示「施設｜周辺」を、カーナビに送信する。
【０１８９】
次に、カーナビの受信部３２１は、位置関連情報要求指示「施設｜周辺」を受信する。すると、位置関連情報取得部３２８は、受信部３２１が受信した位置関連情報要求指示「施設｜周辺」に応じて、位置関連情報格納部３２６から、周辺施設情報を取得する。まず、位置関連情報取得部３２８は、位置情報取得部３２７から、現在位置情報を取得する。ここで、位置関連情報取得部３２８は、現在位置情報「（Ｎ３５．０３．０８，Ｅ１３５．０４．０８）」を取得したものとする。次に、位置関連情報取得部３２８は、種類情報が「施設」であって、取得した現在位置情報の周辺の位置情報を有する位置関連情報を取得する。例えば、位置関連情報取得部３２８は、図１３の位置関連情報の各レコードが有する種類情報が、「施設」であるか否かを判断する。また、位置関連情報取得部３２８は、図１３の位置関連情報の各レコードが有する位置情報が、現在位置情報「（Ｎ３５．０３．０８，Ｅ１３５．０４．０８）」の周辺であるか否かを判断する。これらの判断の結果、位置関連情報取得部３２８は、図１４に示す周辺施設情報を取得したものとする。そして、送信部３２９は、図１４の周辺施設情報を、携帯ゲーム機に送信する。
【０１９０】
次に、携帯ゲーム機の端末受信部３１５は、図１４の周辺施設情報を受信する。そして、携帯ゲーム機は、端末受信部３１５が受信した図１４の周辺施設情報に対応するクイズを取得し、搭載されている画面に出力する。
【０１９１】
次に、ユーザが、携帯ゲーム機を操作し、表示されている周辺施設に関するクイズのうち、カテゴリが「コンビニ」であって、名前が「δマート」に関するクイズを表示する操作を行ったとする。そして、いくつかの「δマート」に関するクイズが表示されたとする。そして、ユーザは、表示された「δマート」に関するクイズのうち、「δマート０１」で識別されるクイズを選択したとする。すると、端末受付部３１２は、音声出力条件「コンビニ｜δマート０１」を有する音声出力指示を受け付ける。
【０１９２】
次に、端末音声出力関連情報取得部３１３は、端末受付部３１２が受け付けた音声出力指示が有する音声出力条件「コンビニ｜δマート」に対応する音声情報を、図４の音声出力関連情報から検索する。そして、端末音声出力関連情報取得部３１３は、図４の「ＩＤ＝０４６」のレコードが有する音声ファイル名「ｑｕｉｚ＿ｄｅｌｔａ＿ｍａｒｔ０１．ａａｃ」を有する音声ファイルを取得する。
【０１９３】
次に、端末送信部３１４は、音声ファイル名「ｑｕｉｚ＿ｄｅｌｔａ＿ｍａｒｔ０１．ａａｃ」を有する音声ファイルを、カーナビに送信する。また、携帯ゲーム機は、当該音声ファイルを再生し、搭載されているスピーカーから出力する。
【０１９４】
次に、カーナビの受信部３２１は、音声ファイル名「ｑｕｉｚ＿ｄｅｌｔａ＿ｍａｒｔ０１．ａａｃ」を有する音声ファイルを受信する。そして、出力部３２２は、当該音声ファイルを再生し、カーナビに接続されているスピーカーから出力する。
【０１９５】
（例２）
まず、ユーザが、携帯ゲーム機を操作し、現在位置が、ある特定の区域内であるか否かを確認するための操作を行ったとする。すると、端末受付部３１２は、位置関連情報要求指示「現在位置」を受け付ける。そして、端末送信部３１４は、端末受付部３１２が受け付けた位置関連情報要求指示「現在位置」を、カーナビに送信する。
【０１９６】
次に、カーナビの受信部３２１は、位置関連情報要求指示「現在位置」を受信する。すると、位置関連情報取得部３２８は、受信部３２１が受信した位置関連情報要求指示「現在位置」に応じて、位置情報取得部３２７から、現在位置情報を取得する。ここで、位置関連情報取得部３２８は、現在位置情報「（Ｎ３５．３５，Ｅ１３５．４８）」を取得したものとする。そして、送信部３２９は、現在位置情報「（Ｎ３５．３５，Ｅ１３５．４８）」を、携帯ゲーム機に送信する。
【０１９７】
次に、携帯ゲーム機の端末受信部３１５は、現在位置情報「（Ｎ３５．３５，Ｅ１３５．４８）」を受信する。そして、端末受付部３１２は、端末受信部３１５が現在位置情報「（Ｎ３５．３５，Ｅ１３５．４８）」を受信したとの判断から、音声出力条件「現在位置｜（Ｎ３５．３５，Ｅ１３５．４８）」を有する音声出力指示を受け付ける。
【０１９８】
次に、端末音声出力関連情報取得部３１３は、端末受付部３１２が受け付けた音声出力指示が有する音声出力条件「現在位置｜（Ｎ３５．３５，Ｅ１３５．４８）」に対応する音声情報を、図４の音声出力関連情報から検索する。ここで、端末音声出力関連情報取得部３１３は、例えば、図４の音声出力関連情報の各レコードが有する内容情報が、位置情報であるか否か、また位置情報である場合は、出力条件が有する位置情報と同一であるか否か、また２以上の位置情報である場合は、当該位置情報の範囲に、出力条件が有する位置情報が含まれているか否かなどを判断したとする。その結果、端末音声出力関連情報取得部３１３は、図４の「ＩＤ＝０６３」のレコードが有する音声ファイル名「ｚｏｎｅ０５＿ＢＧＭ．ａａｃ」を有する音声ファイル名を取得する。
【０１９９】
次に、端末送信部３１４は、音声ファイル名「ｚｏｎｅ０５＿ＢＧＭ．ａａｃ」を有する音声ファイルを、カーナビに送信する。また、携帯ゲーム機は、当該音声ファイルを再生し、搭載されているスピーカーから出力する。
【０２００】
次に、カーナビの受信部３２１は、音声ファイル名「ｚｏｎｅ０５＿ＢＧＭ．ａａｃ」を有する音声ファイルを受信する。そして、出力部３２２は、当該音声ファイルを再生し、カーナビに接続されているスピーカーから出力する。
【０２０１】
（例３）
まず、ユーザが、自動車のエンジンを掛け、カーナビの電源がＯＮになったとする。すると、位置関連情報取得部３２８は、位置関連情報の取得のタイミングであると判断する。ここで、位置関連情報取得部３２８は、位置関連種類情報「施設」を保持していたとする。すると、位置関連情報取得部３２８は、図１３に示す位置関連情報のうち、種類情報が「施設」である位置関連情報を検索し、図１４に示す施設情報を取得したものとする。そして、送信部３２９は、図１４の施設情報を、携帯ゲーム機に送信する。
【０２０２】
次に、携帯ゲーム機の端末受信部３１５が、図１４の施設情報を受信するが、以降の具体例については、例１と同様であるため、説明を省略する。
【０２０３】
なお、本具体例において、携帯ゲーム機からカーナビに、音声ファイルを送信する例を示したが、音声信号や、テキストを送信してもよい。
【０２０４】
また、本具体例のように、端末音声出力関連情報取得部３１３は、端末受信部３１５の位置関連情報の受信に応じて、音声情報を取得してもよい。
【０２０５】
また、本具体例のように、位置関連情報取得部３２８は、受信部３２１の位置関連情報要求指示の受信なしに、位置関連情報を取得してもよい。
【０２０６】
以上、本実施の形態による情報システム３によれば、端末装置３１から車載装置３２に音声情報を送信することにより、車載装置３２から音声を出力することができる。
【０２０７】
また、本実施の形態による情報システム３によれば、端末音声出力関連情報格納部１１１に格納する音声情報を文字情報とすることにより、端末音声出力関連情報格納部１１１の容量を削減することができる。
【０２０８】
また、本実施の形態のよる情報システム３によれば、文字情報である音声情報を端末装置３１から車載装置３２に送信することにより、端末装置３１から車載装置３２に送信する情報量を削減することができる。
【０２０９】
また、本実施の形態による情報システム３によれば、近距離無線通信により、端末装置３１から車載装置３２への音声情報の送信のタイミングと同様のタイミングで、車載装置３２から音声を出力することができる。
【０２１０】
また、本実施の形態による情報システム３によれば、例えば、端末装置３１が、ＧＰＳのような現在位置情報を取得する手段を備えていなくても、現在位置や、現在位置に関連する施設などに対応する音声を出力することができる。
【０２１１】
また、本実施の形態による情報システム３によれば、例えば、本情報システム３を車内で使用する場合に、端末装置３１を操作するユーザに対して端末装置３１が出力する音声情報と同一の音声情報を、車載装置３２により乗車者全員に対しても出力することができる。
【０２１２】
また、本実施の形態による情報システム３によれば、例えば、本情報システム３を車内で使用する場合に、乗車者全員が同一の音声を視聴することができ、乗車者間のコミュニケーションを生み出し、また、車内の雰囲気を盛り上げることができる。
【０２１３】
なお、本実施の形態において、端末装置３１は、音声情報を用いて、音声を出力する端末出力部を備えていてもよい。当該端末出力部は、端末音声出力関連情報取得部３１３が取得した音声情報を用いて、音声を出力する。
【０２１４】
（実施の形態４）
本実施の形態において、端末装置が車載装置から位置関連情報を受信し、当該位置関連情報に対応する音声出力条件を取得し、端末装置から車載装置に当該音声出力条件を送信し、車載装置が当該出力条件に対応する音声を出力する情報システムについて説明する。
【０２１５】
本実施の形態における情報システム４の概念図は、図９と同様であり、図９の端末装置３１を端末装置４１と、車載装置３２を車載装置４２と読み替えたものである。また、その他についても同様である。
【０２１６】
図１５は、本実施の形態における端末装置４１、および車載装置４２のブロック図である。端末装置４１は、端末音声出力関連情報格納部１１１、端末受付部３１２、端末受信部３１５、端末音声出力関連情報取得部４１３、端末送信部４１４を備える。車載装置４２は、位置関連情報格納部３２６、音声情報格納部２２３、位置情報取得部３２７、受信部４２１、位置関連情報取得部３２８、送信部３２９、音声情報取得部２２５、出力部２２２を備える。
【０２１７】
端末音声出力関連情報取得部４１３は、端末受付部３１２が受け付けた音声出力指示、または端末受信部３１５が受信した位置関連情報に対応する音声出力条件を、端末音声出力関連情報格納部１１１から取得する。つまり、端末音声出力関連情報取得部４１３は、例えば、当該音声出力指示、または位置関連情報が有する情報を用いて、端末音声出力関連情報格納部１１１に格納されている音声出力関連情報から、当該音声出力指示、または位置関連情報が有する情報に対応する音声出力条件検索し、取得する。なお、音声出力条件の取得の方法や手順などは、端末音声出力関連情報取得部３１３における音声情報の取得の方法や手順などと同様であるので、説明を省略する。
【０２１８】
端末音声出力関連情報取得部４１３は、通常、ＭＰＵやメモリ等から実現され得る。端末音声出力関連情報取得部４１３の処理手順は、通常、ソフトウェアで実現され、当該ソフトウェアはＲＯＭ等の記録媒体に記録されている。但し、ハードウェア（専用回路）で実現してもよい。
【０２１９】
端末送信部４１４は、端末受付部３１２が受け付けた位置関連情報要求指示、または端末音声出力関連情報取得部４１３が取得した音声出力条件を、車載装置４２に送信する。つまり、端末送信部４１４は、端末受付部３１２が位置関連情報要求指示を受け付けた場合は、当該位置関連情報要求指示を、車載装置４２に送信する。また、端末送信部４１４は、端末音声出力関連情報取得部４１３が音声出力条件を取得した場合は、当該音声出力条件を、車載装置４２に送信する。端末送信部４１４は、通常、無線または有線の通信手段で実現されるが、放送手段で実現されてもよい。
【０２２０】
受信部４２１は、端末送信部４１４が送信する位置関連情報要求指示、または音声出力条件を受信する。受信部４２１は、通常、無線または有線の通信手段で実現されるが、放送を受信する手段で実現されてもよい。
【０２２１】
次に、情報システム４の動作について説明する。まず、端末装置４１の全体動作について説明する。図１６は、端末装置４１の全体動作を示すフローチャートである。なお、図１６において、ステップＳ１６０１からステップＳ１６０６までは、図１１のステップＳ１１０１からステップＳ１１０６までと同様であるので、説明を省略する。
【０２２２】
（ステップＳ１６０７）端末音声出力関連情報取得部４１３は、ステップＳ１６０１で受け付けた音声出力指示、およびステップＳ１６０４で受信した位置関連情報に対応する音声出力条件を、端末音声出力関連情報格納部１１１から検索し、取得する。
【０２２３】
（ステップＳ１６０８）端末送信部４１４は、ステップＳ１６０７で取得した音声出力条件を、車載装置４２に送信し、ステップＳ１６０１に戻る。
【０２２４】
（ステップＳ１６０９）端末装置４１は、ステップＳ１６０１で受け付けた指示に応じた処理を行い、ステップＳ１６０１に戻る。
【０２２５】
なお、図１６のフローチャートにおいて、電源オフや処理終了の割り込みにより処理を終了してもよい。
【０２２６】
また、図１６のフローチャートのステップＳ１６０６において、位置関連情報が受信済みでない場合は、ステップＳ１６０３に進んでもよい。
【０２２７】
次に、車載装置４２の全体動作について説明する。図１７は、車載装置４２の全体動作を示すフローチャートである。なお、図１７のフローチャートにおいて、ステップＳ１７０１からステップＳ１７０７までは、図１２のフローチャートのステップＳ１２０１からステップＳ１２０７までと同様であるので、説明を省略する。
【０２２８】
（ステップＳ１７０８）受信部４２１は、音声出力条件を受信したか否かを判断する。受信した場合は、ステップＳ１７０９に進み、そうでない場合は、ステップＳ１７０１に戻る。
【０２２９】
（ステップＳ１７０９）音声情報取得部２２５は、ステップＳ１７０８で受信した音声出力条件に対応する音声情報を、音声情報格納部２２３から検索し、取得する。
【０２３０】
（ステップＳ１７１０）出力部２２２は、ステップＳ１７０９で取得した音声情報を用いて、音声を出力し、ステップＳ１７０１に戻る。
【０２３１】
なお、図１７のフローチャートにおいて、電源オフや処理終了の割り込みにより処理を終了してもよい。
【０２３２】
また、図１７のフローチャートにおいて、送信部３２９が、位置情報が取得済みであるか否かを判断してもよい。取得済みである場合、送信部３２９は、位置情報を送信する。取得済みでない場合、位置情報取得部３２７が位置情報を取得後に、送信部３２９は、位置情報を送信する。
【０２３３】
また、図１７のフローチャートにおいて、位置関連情報取得部３２８が、位置情報が取得済みであるか否かを判断してもよい。取得済みである場合、位置関連情報取得部３２８は、位置関連情報を送信する。取得済みでない場合、位置情報取得部３２７が位置情報を取得後に、位置関連情報取得部３２８は、位置関連情報を送信する。
【０２３４】
（具体例）
次に、情報システム４の動作の具体例について説明する。なお、本具体例において、端末装置４１は、携帯ゲーム機であるものとする。また、車載装置４２は、自動車に搭載されているナビゲーション装置（以下、カーナビ）であるものとする。また、端末音声出力関連情報格納部１１１には、図４に示す音声出力関連情報が格納されているものとする。なお、また、端末装置４１は、１以上のクイズ情報を有しており、当該クイズ情報は、ユーザの操作により、ユーザに提示されるモノとする。なお、当該クイズ情報は、端末装置４１の任司の記憶領域に格納されているものとする。また、位置関連情報格納部３２６には、図１３に示す位置関連情報が格納されているものとする。また、音声情報格納部２２３には、図８に示す音声情報が格納されているものとする。また、位置情報取得部３２７は、常に現在位置情報を取得しているものとする。
【０２３５】
（例１）
まず、ユーザが、携帯ゲーム機を操作し、周辺施設に関するクイズを探す操作を行ったとする。すると、端末受付部３１２は、位置関連情報要求指示「現在位置」と「施設｜周辺」を受け付ける。そして、端末送信部３１４は、端末受付部３１２が受け付けた位置関連情報要求指示「現在位置」と「施設｜周辺」を、カーナビに送信する。
【０２３６】
次に、カーナビの受信部４２１は、位置関連情報要求指示「現在位置」、「施設｜周辺」を受信する。すると、位置関連情報取得部３２８は、受信部４２１が受信した位置関連情報要求指示「現在位置」に応じて、位置情報取得部３２７が取得している現在位置情報を取得する。また、位置関連情報取得部３２８は、受信部４２１が受信した位置関連情報要求指示「施設｜周辺」に応じて、位置関連情報格納部３２６から、周辺施設情報を取得する。ここで、位置関連情報取得部３２８は、現在位置情報「（Ｎ３５．０３．０８，Ｅ１３５．０４．０８）」と、図１４に示す周辺施設情報を取得したものとする。そして、送信部３２９は、現在位置情報「（Ｎ３５．０３．０８，Ｅ１３５．０４．０８）」と、図１４の周辺施設情報を、携帯ゲーム機に送信する。
【０２３７】
次に、携帯ゲーム機の端末受信部３１５は、現在位置情報「（Ｎ３５．０３．０８，Ｅ１３５．０４．０８）」と、図１４の周辺施設情報を受信する。そして、携帯ゲーム機は、端末受信部３１５が受信した図１４の周辺施設情報に対応するクイズを取得し、搭載されている画面に出力する。
【０２３８】
次に、ユーザが、携帯ゲーム機を操作し、表示されている周辺施設に関するクイズのうち、カテゴリが「コンビニ」であって、名前が「δマート」に関するクイズについて、現在位置との距離を調べる操作を行ったとする。すると、端末音声出力関連情報取得部４１３は、端末受信部３１５が受信した現在位置情報と、図１４の「ＩＤ＝０１８」の施設情報とを用いて、現在位置と各周辺施設との距離を算出する。ここで、当該距離が「５００ｍ」であったとする。すると、端末音声出力関連情報取得部４１３は、当該距離「５００ｍ」に対応する音声出力条件を、図４の音声出力関連情報から検索する。そして、端末音声出力関連情報取得部４１３は、図４の「ＩＤ＝０８８」のレコードが有する音声ファイル名「ｄｉｓｔａｎｃｅ＿ａｌｅｒｔ５００．ａａｃ」を、音声出力条件として取得する。
【０２３９】
次に、端末送信部４１４は、音声出力条件「ｄｉｓｔａｎｃｅ＿ａｌｅｒｔ５００．ａａｃ」を、カーナビに送信する。また、携帯ゲーム機は、当該音声出力条件に対応する音声ファイルを、端末音声出力関連情報格納部１１１から取得し、再生し、搭載されているスピーカーから出力する。
【０２４０】
次に、カーナビの受信部４２１は、音声出力条件「ｄｉｓｔａｎｃｅ＿ａｌｅｒｔ５００．ａａｃ」を受信する。そして、音声情報取得部２２５は、当該音声出力条件を用いて、音声情報格納部２２３から、当該音声出力条件に対応する音声情報を取得する。そして、音声情報取得部２２５は、図８の「ＩＤ＝０８８」のレコードが有する音声ファイル「ｄｉｓｔａｎｃｅ＿ａｌｅｒｔ５００．ａａｃ」を有する音声ファイルを取得する。
【０２４１】
次に、出力部２２２は、音声ファイル名「ｄｉｓｔａｎｃｅ＿ａｌｅｒｔ５００．ａａｃ」を有する音声ファイルを再生し、カーナビに接続されているスピーカーから出力する。
【０２４２】
（例２）
まず、ユーザが、携帯ゲーム機を操作し、現在位置に最も近い地点や施設との距離を調べる操作を行ったとする。すると、端末受付部３１２は、位置関連情報要求指示「距離｜最短」
を受け付ける。そして、端末送信部３１４は、端末受付部３１２が受け付けた位置関連情報要求指示「距離｜最短」を、カーナビに送信する。
【０２４３】
次に、カーナビの受信部４２１は、位置関連情報要求指示「距離｜最短」を受信する。すると、位置関連情報取得部３２８は、受信部４２１が受信した位置関連情報要求指示「距離｜最短」に応じて、位置情報取得部３２７が取得している現在位置情報を取得する。また、位置関連情報取得部３２８は、受信部４２１が受信した位置関連情報要求指示「距離｜最短」に応じて、取得した現在位置情報と、図１３の各位置関連情報が有する位置情報とを用いて、現在位置と各地点や施設との距離を算出し、最短の距離を取得する。ここで、位置関連情報取得部３２８は、最短距離を示す距離情報「１ｋｍ」を取得したものとする。そして、送信部３２９は、距離情報「１ｋｍ」を、携帯ゲーム機に送信する。
【０２４４】
次に、携帯ゲーム機の端末受信部３１５は、距離情報「１ｋｍ」を受信する。すると、端末音声出力関連情報取得部４１３は、端末受信部３１５が受信した距離情報「１ｋｍ」に対応する音声出力条件を、図４の音声出力関連情報から検索する。そして、端末音声出力関連情報取得部４１３は、図４の「ＩＤ＝０８９」のレコードが有する音声ファイル名「ｄｉｓｔａｎｃｅ＿ａｌｅｒｔ１０００．ａａｃ」を、音声出力条件として取得する。
【０２４５】
次に、端末送信部４１４は、音声出力条件「ｄｉｓｔａｎｃｅ＿ａｌｅｒｔ１０００．ａａｃ」を、カーナビに送信する。また、携帯ゲーム機は、当該音声出力条件に対応する音声ファイルを、端末音声出力関連情報格納部１１１から取得し、再生し、搭載されているスピーカーから出力する。
【０２４６】
次に、カーナビの受信部４２１は、音声出力条件「ｄｉｓｔａｎｃｅ＿ａｌｅｒｔ１０００．ａａｃ」を受信する。そして、音声情報取得部２２５は、当該音声出力条件を用いて、音声情報格納部２２３から、当該音声出力条件に対応する音声情報を取得する。そして、音声情報取得部２２５は、図８の「ＩＤ＝０８９」のレコードが有する音声ファイル「ｄｉｓｔａｎｃｅ＿ａｌｅｒｔ１０００．ａａｃ」を有する音声ファイルを取得する。
【０２４７】
次に、出力部２２２は、音声ファイル名「ｄｉｓｔａｎｃｅ＿ａｌｅｒｔ１０００．ａａｃ」を有する音声ファイルを再生し、カーナビに接続されているスピーカーから出力する。
【０２４８】
なお、本具体例において、携帯ゲーム機からカーナビに、音声ファイル名である音声出力条件を送信する例を示したが、その他の情報を有する音声出力条件を送信してもよい。
【０２４９】
また、本具体例のように、端末音声出力関連情報取得部４１３は、端末受信部３１５の位置関連情報の受信に応じて、音声出力条件を取得してもよい。
【０２５０】
また、本具体例のように、位置関連情報取得部３２８は、受信部４２１の位置関連情報要求指示の受信なしに、位置関連情報を取得してもよい。
【０２５１】
以上、本実施の形態による情報システム４によれば、端末装置４１から車載装置４２に音声出力条件を送信することにより、車載装置４２から音声を出力することができる。
【０２５２】
また、本実施の形態による情報システム４によれば、音声情報格納部２２３に格納する音声情報を文字情報とすることにより、音声情報格納部２２３の容量を削減することができる。
【０２５３】
また、本実施の形態のよる情報システム４によれば、音声出力条件を端末装置４１から車載装置４２に送信することにより、端末装置４１から車載装置４２に送信する情報量を削減することができる。
【０２５４】
また、本実施の形態による情報システム４によれば、近距離無線通信により、端末装置４１から車載装置４２への音声情報の送信のタイミングと同様のタイミングで、車載装置４２から音声を出力することができる。
【０２５５】
また、本実施の形態による情報システム４によれば、例えば、端末装置４１が、ＧＰＳのような現在位置情報を取得する手段を備えていなくても、現在位置や、現在位置に関連する施設などに対応する音声を出力することができる。
【０２５６】
また、本実施の形態による情報システム４によれば、例えば、本情報システム４を車内で使用する場合に、端末装置４１を操作するユーザに対して端末装置４１が出力する音声情報と同一の音声情報を、車載装置４２により乗車者全員に対しても出力することができる。
【０２５７】
また、本実施の形態による情報システム４によれば、例えば、本情報システム４を車内で使用する場合に、乗車者全員が同一の音声を視聴することができ、乗車者間のコミュニケーションを生み出し、また、車内の雰囲気を盛り上げることができる。
【０２５８】
なお、本実施の形態において、端末装置４１は、音声情報を用いて、音声を出力する端末出力部を備えていてもよい。当該端末出力部は、端末受付部３１２が受け付けた音声出力指示に対応する音声情報を、端末音声出力関連情報格納部１１１から取得し、当該音声情報を用いて音声を出力する。
【０２５９】
（実施の形態５）
本実施の形態において、端末装置が位置情報を取得し、当該位置情報に対応する音声情報を取得し、端末装置から車載装置に当該音声情報を送信し、車載装置が当該音声情報を用いて音声を出力する情報システムについて説明する。
【０２６０】
本実施の形態における情報システム５の概念図は、図１と同様であり、図１の端末装置１１を端末装置５１と、車載装置１２を車載装置５２と読み替えたものである。また、その他についても同様である。
【０２６１】
図１８は、本実施の形態における情報システム５のブロック図である。端末装置５１は、端末音声出力関連情報格納部１１１、端末受付部５１２、端末位置情報取得部５１６、端末音声出力関連情報取得部５１３、端末送信部１１４を備える。車載装置５２は、受信部１２１、出力部１２２を備える。
【０２６２】
端末受付部５１２は、音声出力指示を受け付ける。当該音声出力指示は、通常、後述の端末位置情報取得部５１６が取得する位置情報に対応する音声出力条件を有する。また、当該音声出力条件は、音声識別子を有していてもよい。
【０２６３】
また、端末受付部５１２は、位置情報取得指示を受け付けてもよい。位置情報取得指示とは、位置情報を取得することに関する指示である。位置情報取得指示は、例えば、指示識別子や、位置種類情報などを有する。位置情報取得指示における指示識別子は、当該指示が位置情報取得指示であることを示す情報である。また、音声出力指示は、位置情報取得指示を有していてもよい。
【０２６４】
なお、端末受付部５１２が受け付けてもよいその他の指示や、指示の受け付けの方法などについては、端末受付部１１２と同様であるので、説明を省略する。
【０２６５】
端末受付部５１２における音声出力指示の入力手段は、キーボードやマウスやメニュー画面によるものなど、何でもよい。端末受付部５１２は、キーボード等の入力手段のデバイスドライバーや、メニュー画面の制御ソフトウェアなどで実現され得る。
【０２６６】
端末位置情報取得部５１６は、端末受付部５１２が受け付けた音声出力指示、または位置情報取得指示に応じて、位置情報を取得する。なお、位置情報の取得のタイミングは問わない。また、位置情報の取得の方法や手順などは、公知であるので、詳細な説明を省略する。
【０２６７】
端末位置情報取得部５１６は、通常、いわゆるＧＰＳや、移動体通信用の基地局から位置情報を受信する装置などのハードウェア（専用回路）で実現され得る。端末位置情報取得部５１６の処理手順は、通常、ソフトウェアで実現され、当該ソフトウェアはＲＯＭ等の記録媒体に記録されている。
【０２６８】
端末音声出力関連情報取得部５１３は、端末位置情報取得部５１６が取得した位置情報に対応する音声情報を、端末音声出力関連情報格納部１１１から取得する。つまり、端末音声出力関連情報取得部５１３は、例えば、当該位置情報を用いて、端末音声出力関連情報格納部１１１に格納されている音声出力関連情報から、当該位置情報に対応する音声情報を検索し、取得する。また、端末音声出力関連情報取得部５１３は、例えば、端末位置情報取得部５１６が取得した位置情報から、当該位置情報を有する音声出力条件を生成し、当該音声出力条件に対応する音声情報を、端末音声出力関連情報格納部１１１から取得してもよい。また、端末音声出力関連情報取得部５１３は、例えば、端末受付部５１２が受け付けた音声出力指示を取得し、当該音声出力指示が有する音声出力条件に対応する音声情報を、端末音声出力関連情報格納部１１１から取得してもよい。なお、音声情報の取得の方法や手順などは、端末音声出力関連情報取得部１１３と同様であるので、説明を省略する。
【０２６９】
端末音声出力関連情報取得部５１３は、通常、ＭＰＵやメモリ等から実現され得る。端末音声出力関連情報取得部５１３の処理手順は、通常、ソフトウェアで実現され、当該ソフトウェアはＲＯＭ等の記録媒体に記録されている。但し、ハードウェア（専用回路）で実現してもよい。
【０２７０】
次に、情報システム５の動作について説明する。まず、端末装置５１の全体動作について説明する。図１９は、端末装置５１の全体動作を示すフローチャートである。
【０２７１】
（ステップＳ１９０１）端末受付部５１２は、指示を受け付けたか否かを判断する。受け付けた場合は、ステップＳ１９０２に進み、そうでない場合は、ステップＳ１９０１に戻る。
【０２７２】
（ステップＳ１９０２）端末音声出力関連情報取得部５１３は、ステップＳ１９０１で受け付けた指示が音声出力指示であるか否かを判断する。音声出力指示である場合は、ステップＳ１９０３に進み、そうでない場合は、ステップＳ１９０６に進む。
【０２７３】
（ステップＳ１９０３）端末位置情報取得部５１６は、端末現在位置情報を取得する。
【０２７４】
（ステップＳ１９０４）端末音声出力関連情報取得部５１３は、ステップＳ１９０１で受け付けた音声出力指示に応じて、当該音声出力指示が有する情報、およびステップＳ１９０３で取得した端末現在位置情報に対応する音声情報を、端末音声出力関連情報格納部１１１から検索し、取得する。
【０２７５】
（ステップＳ１９０５）端末送信部１１４は、ステップＳ１９０４で取得した音声情報を、車載装置４２に送信し、ステップＳ１９０１に戻る。
【０２７６】
（ステップＳ１９０６）端末装置４１は、ステップＳ１９０１で受け付けた指示に応じた処理を行い、ステップＳ１９０１に戻る。
【０２７７】
なお、図１９のフローチャートにおいて、電源オフや処理終了の割り込みにより処理を終了してもよい。
【０２７８】
また、図１９のフローチャートにおいて、常に端末現在位置情報を取得するようにしてもよい。
【０２７９】
また、図１９のフローチャートにおいて、音声情報の取得前に、端末音声出力関連情報取得部５１３が、位置情報が取得済みであるか否かを判断してもよい。取得済みである場合、端末音声出力関連情報取得部５１３は、音声情報を取得する。また、取得済みでない場合、端末位置情報取得部５１６が位置情報を取得後に、端末音声出力関連情報取得部５１３は、音声情報を取得する。
【０２８０】
次に、車載装置５２の全体動作について説明する。
【０２８１】
（ステップＳ１９５１）受信部１２１は、音声情報を受信したか否かを判断する。受信した場合は、ステップＳ１９５２に進み、そうでない場合は、ステップＳ１９５１に戻る。
【０２８２】
（ステップＳ１９５２）出力部１２２は、ステップＳ１９５１で受信した音声情報を用いて、音声を出力し、ステップＳ１９５１に戻る。
【０２８３】
なお、車載装置５２の全体動作において、電源オフや処理終了の割り込みにより処理を終了してもよい。
【０２８４】
（具体例）
次に、情報システム５の動作の具体例について説明する。なお、本具体例において、端末装置５１は、携帯ゲーム機であるものとする。また、車載装置５２は、自動車に搭載されているナビゲーション装置（以下、カーナビ）であるものとする。また、端末音声出力関連情報格納部１１１には、図４に示す音声出力関連情報が格納されているものとする。
【０２８５】
まず、ユーザが、携帯ゲーム機を操作し、現在位置が、ある特定の区域内であるか否かを確認するための操作を行ったとする。すると、端末受付部５１２は、音声出力指示「現在位置」を受け付ける。また、端末位置情報取得部５１６は、当該音声出力指示に応じて、携帯ゲーム機の現在位置情報を取得する。ここで、端末位置情報取得部５１６は、携帯ゲーム機の現在位置情報「（Ｎ３６．３９．０９，Ｅ１３６．１９．３７）」を取得したものとする。
【０２８６】
次に、端末音声出力関連情報取得部５１３は、端末位置情報取得部５１６が取得した携帯ゲーム機の現在位置情報「（Ｎ３６．３９．０９，Ｅ１３６．１９．３７）」に対応する音声情報を、図４の音声出力関連情報から検索する。ここで、端末音声出力関連情報取得部５１３は、例えば、図４の音声出力関連情報の各レコードが有する内容情報が、位置情報であるか否か、また位置情報である場合は、音声出力条件が有する位置情報と同一であるか否か、また２以上の位置情報である場合は、当該位置情報の範囲に、音声出力条件が有する位置情報が含まれているか否かなどを判断したとする。その結果、端末音声出力関連情報取得部５１３は、図４の「ＩＤ＝０６４」のレコードが有する音声ファイル名「ｚｏｎｅ０６＿ＢＧＭ．ａａｃ」を有する音声ファイル名を取得する。
【０２８７】
次に、端末送信部１１４は、音声ファイル名「ｚｏｎｅ０６＿ＢＧＭ．ａａｃ」を有する音声ファイルを、カーナビに送信する。また、携帯ゲーム機は、当該音声ファイルを再生し、搭載されているスピーカーから出力する。
【０２８８】
次に、カーナビの受信部１２１は、音声ファイル名「ｚｏｎｅ０６＿ＢＧＭ．ａａｃ」を有する音声ファイルを受信する。そして、出力部１２２は、当該音声ファイルを再生し、カーナビに接続されているスピーカーから出力する。
【０２８９】
なお、本具体例において、携帯ゲーム機からカーナビに、音声ファイルを送信する例を示したが、音声信号や、テキストを送信してもよい。
【０２９０】
また、本具体例のように、端末音声出力関連情報取得部５１３は、端末位置情報取得部５１６の位置情報の取得に応じて、音声情報を取得してもよい。
【０２９１】
以上、本実施の形態による情報システム５によれば、端末装置５１から車載装置５２に音声情報を送信することにより、車載装置５２を用から音声を出力することができる。
【０２９２】
また、本実施の形態による情報システム５によれば、近距離無線通信により、端末装置５１から車載装置５２への音声情報の送信のタイミングと同様のタイミングで、車載装置５２から音声を出力することができる。
【０２９３】
また、本実施の形態による情報システム５によれば、現在位置に対応する音声を出力することができる。
【０２９４】
また、本実施の形態による情報システム５によれば、例えば、本情報システム５を車内で使用する場合に、端末装置５１を操作するユーザに対して端末装置５１が出力する音声情報と同一の音声情報を、車載装置５２により乗車者全員に対しても出力することができる。
【０２９５】
また、本実施の形態による情報システム５によれば、例えば、本情報システム５を車内で使用する場合に、乗車者全員が同一の音声を視聴することができ、乗車者間のコミュニケーションを生み出し、また、車内の雰囲気を盛り上げることができる。
【０２９６】
なお、本実施の形態において、端末装置５１は、音声情報を用いて音声を出力する端末出力部を備えていてもよい。当該端末出力部は、端末音声出力関連情報取得部５１３が取得した音声情報を用いて、音声を出力する。また、当該出力部は、端末送信部１１４と同様の判断により、音声を出力してもよい。
【０２９７】
また、上記各実施の形態において、一の装置に存在する２以上の通信手段は、物理的に一の媒体で実現されてもよいことは言うまでもない。
【０２９８】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０２９９】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０３００】
また、上記各実施の形態における端末装置を実現するソフトウェアは、以下のようなプログラムである。つまり、このプログラムは、記録媒体に、音声を出力することに関する情報である音声出力関連情報が格納されており、コンピュータを、音声を出力することに関する指示である音声出力指示を受け付ける受付部と、前記受付部が受け付けた音声出力指示に対応する音声出力関連情報を、記録媒体から取得する音声出力関連情報取得部と、前記音声情報取得部が取得した音声情報を、外部の車載装置に送信する送信部として機能させるためのプログラムである。
【０３０１】
また、上記各実施の形態における車載装置を実現するソフトウェアは、以下のようなプログラムである。つまり、このプログラムは、コンピュータを、音声を出力することに関する情報である音声出力関連情報を受信する受信部と、前記受信部が受信した音声出力関連情報を用いて音声を出力する出力部として機能させるためのプログラムである。
【０３０２】
なお、上記プログラムにおいて、情報を送信する送信ステップや、情報を受信する受信ステップなどでは、ハードウェアでしか行われない処理、例えば、送信ステップにおけるモデムやインターフェースカードなどで行われる処理は少なくとも含まれない。
【０３０３】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０３０４】
また、上記プログラムを実行するコンピュータは、単数であってもよいし、複数であってもよい。つまり、集中処理を行ってもよいし、あるいは分散処理を行ってもよい。
【０３０５】
また、図２０は、前述のプログラムを実行して、前述の実施の形態の情報システム等を実現するコンピュータシステム９の概観図である。前述の実施の形態は、コンピュータハードウェア及びその上で実行されるコンピュータプログラムで実現され得る。
【０３０６】
図２０において、コンピュータシステム９は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０１１、ＦＤ（Ｆｌｅｘｉｂｌｅ  Ｄｉｓｋ）ドライブ９０１２を含むコンピュータ９０１と、キーボード９０２と、マウス９０３と、モニタ９０４とを備える。
【０３０７】
図２１は、コンピュータシステム９のブロック図である。図２１において、コンピュータ９０１は、ＣＤ−ＲＯＭドライブ９０１１、ＦＤドライブ９０１２に加えて、ＣＰＵ（Ｃｅｎｔｒａｌ  Ｐｒｏｃｅｓｓｉｎｇ  Ｕｎｉｔ）９０１３と、ブートアッププログラム等のプログラムを記憶するためのＲＯＭ（Ｒｅａｄ−Ｏｎｌｙ  Ｍｅｍｏｒｙ）９０１４と、ＣＰＵ９０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）９０１５と、アプリケーションプログラム、システムプログラム、及びデータを記憶するためのハードディスク９０１６と、ＣＤ−ＲＯＭドライブ９０１１、ＦＤドライブ９０１２、ＣＰＵ９０１３等を相互に接続するバス９０１７とを備える。ここでは図示しないが、コンピュータ９０１は、さらに、ＬＡＮへの接続を提供するネットワークカードを備えていてもよい。
【０３０８】
コンピュータシステム９に、前述の実施の形態の情報システム等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０３０９】
プログラムは、コンピュータ９０１に、前述の実施の形態の情報システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０３１０】
本発明は、以上の実施の形態に限定されることなく、種々の変更が可能であり、それらも本発明の範囲内に包含されるものであることは言うまでもない。
【産業上の利用可能性】
【０３１１】
以上のように、本発明にかかる情報システムは、操作に伴う音声を、端末装置を操作するユーザ以外に対しても出力することができるという効果を有し、端末装置と車載装置とからなる遊戯装置等として有用である。
【符号の説明】
【０３１２】
１、２、３、４、５  情報システム
１１、２１、３１、４１、５１  端末装置
１２、２２、３２、４２、５２  車載装置
１１１  音声出力関連情報格納部
１１２、２１３、３１２、５１２  端末受付部
１１３、２１３、３１３、４１３、５１３  端末音声出力関連情報取得部
１１４、２１４、３１４、４１４  端末送信部
１２１、２２１、３２１、４２１  受信部
１２２、２２２、３２２  出力部
２２３  音声情報格納部
２２４  音声情報蓄積部
２２５  音声情報取得部
３１５  端末受信部
３２６  位置関連情報格納部
３２７  位置情報取得部
３２８  位置関連情報取得部
３２９  送信部
５１６  端末位置情報取得部
【図１】
0005869774.tif 000002
【図２】
0005869774.tif 000003
【図３】
0005869774.tif 000004
【図４】
0005869774.tif 000005
【図５】
0005869774.tif 000006
【図６】
0005869774.tif 000007
【図７】
0005869774.tif 000008
【図８】
0005869774.tif 000009
【図９】
0005869774.tif 000010
【図１０】
0005869774.tif 000011
【図１１】
0005869774.tif 000012
【図１２】
0005869774.tif 000013
【図１３】
0005869774.tif 000014
【図１４】
0005869774.tif 000015
【図１５】
0005869774.tif 000016
【図１６】
0005869774.tif 000017
【図１７】
0005869774.tif 000018
【図１８】
0005869774.tif 000019
【図１９】
0005869774.tif 000020
【図２０】
0005869774.tif 000021
【図２１】
0005869774.tif 000022